(57)【要約】  本発明の表示装置は、複数のサブ画素によって規定される画素を有する。複数のサブ画素は、第１、第２、第３および第４サブ画素を有し、第２サブ画素の第２の色相は、Ｌ*ａ*ｂ*表色系色度図において、第１サブ画素の第１の色相に最も近い色相であり、第３サブ画素の第３の色相は、Ｌ*ａ*ｂ*表色系色度図において、第１の色相に対して第２の色相とは反対側にある色相の中で第１の色相に最も近い色相である。複数のサブ画素の輝度は、画素によって表示される色が黒から第１サブ画素の第１の色を経て白まで変化する場合に、第１サブ画素の輝度の増加を開始し、第１サブ画素の輝度が所定の輝度に達すると、第２サブ画素および第３サブ画素の少なくとも一方のみの輝度の増加を開始するように設定されている。【特許請求の範囲】
【請求項１】
複数のサブ画素によって規定される画素を有する表示装置であって、
前記複数のサブ画素は、第１の色相を有する第１の色を表示する第１サブ画素と、第２の色相を有する第２の色を表示する第２サブ画素と、第３の色相を有する第３の色を表示する第３サブ画素と、第４の色相を有する第４の色を表示する第４サブ画素とを有し、
前記第２の色相は、Ｌ*ａ*ｂ*表色系色度図において、前記複数のサブ画素の色相のうち前記第１の色相に最も近い色相であり、前記第３の色相は、Ｌ*ａ*ｂ*表色系色度図において、前記複数のサブ画素の色相のうち前記第１の色相に対して前記第２の色相とは反対側にある色相の中で前記第１の色相に最も近い色相であり、
前記複数のサブ画素の輝度は、前記画素によって表示される色が黒から前記第１の色を経て白まで変化する場合に、前記第１サブ画素の輝度の増加を開始し、前記第１サブ画素の輝度が所定の輝度に達すると、前記複数のサブ画素のうち前記第２サブ画素および前記第３サブ画素の少なくとも一方のみの輝度の増加を開始するように設定されている、表示装置。
【請求項２】
前記画素によって表示される色の色相が前記第１の色相から変化しないように、前記第２サブ画素および前記第３サブ画素の輝度の増加を開始する、請求項１に記載の表示装置。
【請求項３】
前記複数のサブ画素の色相のうち前記第１の色相から最も遠い色相に対応するサブ画素の輝度の増加を、他のサブ画素の輝度の増加を開始した後に、開始する、請求項１または２に記載の表示装置。
【請求項４】
前記第１の色は、赤、緑および青のいずれかであり、
前記第１サブ画素の輝度が前記所定の輝度に達したとき、前記画素によって表示される色は前記第１の色相における最明色である、請求項１から３のいずれかに記載の表示装置。
【請求項５】
前記第１の色は、黄、シアンおよびマゼンタのいずれかであり、
前記第１、第２および第３サブ画素の輝度がそれぞれ所定の輝度に達したとき、前記画素によって表示される色は、前記第１の色相における最明色である、請求項１から３のいずれかに記載の表示装置。
【請求項６】
前記第２サブ画素および前記第３サブ画素の一方が所定の輝度に達すると、前記第４サブ画素の輝度の増加を開始する、請求項１から５のいずれかに記載の表示装置。
【請求項７】
前記第１サブ画素の最大階調に対応する輝度に対する前記所定の輝度の比は、「０．８」以上「１」以下である、請求項１から６のいずれかに記載の表示装置。
【請求項８】
前記所定の輝度は、前記第１サブ画素の最大階調に対応する輝度である、請求項７に記載の表示装置。
【請求項９】
前記第１、第２、第３および第４の色が、それぞれ、赤、緑、青および黄のいずれかである場合、
前記第１の色が赤であるとき、前記第２および第３の色は黄および青であり、
前記第１の色が緑であるとき、前記第２および第３の色は黄および青であり、
前記第１の色が青であるとき、前記第２および第３の色は赤および緑であり、
前記第１の色が黄であるとき、前記第２および第３の色は赤および緑である、請求項１から８のいずれかに記載の表示装置。
【請求項１０】
前記複数のサブ画素は、第５の色相を有する第５の色を表示する第５サブ画素をさらに有し、
前記第５の色は、Ｌ*ａ*ｂ*表色系色度図において、前記複数のサブ画素のうち前記第１の色相に対して前記第２の色相と同じ側にある色相の中で前記第１の色相に前記第２の色相の次に近い色相であり、
前記第２サブ画素の輝度が所定の輝度に達すると、前記第５サブ画素の輝度の増加を開始する、請求項１から３のいずれかに記載の表示装置。
【請求項１１】
前記第１の色は、黄、シアンおよびマゼンタのいずれかであり、
前記第１、第２および第３サブ画素の輝度が所定の輝度となると、前記第４および第５サブ画素の輝度の増加を同時に開始する，請求項１０に記載の表示装置。
【請求項１２】
前記第１、第２、第３、第４および第５の色が、それぞれ、赤、緑、青、黄およびシアンのいずれかである場合、
前記第１の色が赤であるとき、前記第２および第３の色は黄および青であり、
前記第１の色が緑であるとき、前記第２および第３の色は黄およびシアンであり、
前記第１の色が青であるとき、前記第２および第３の色は赤およびシアンであり、
前記第１の色が黄であるとき、前記第２および第３の色は赤および緑であり、
前記第１の色がシアンであるとき、前記第２および第３の色は青および緑である、請求項１０に記載の表示装置。
【請求項１３】
前記複数のサブ画素は、第６の色相を有する第６の色を表示する第６サブ画素をさらに有し、
前記第６の色相は、Ｌ*ａ*ｂ*表色系色度図において、前記複数のサブ画素の色相のうち前記第１の色相に対して第３の色相と同じ側にある色相の中で前記第１の色相に前記第３の色相の次に近い色相であり、
前記第３サブ画素の輝度が所定の輝度に達すると、前記第６サブ画素の輝度の増加を開始する、請求項１０に記載の表示装置。
【請求項１４】
前記第１、第２、第３、第４、第５および第６の色が、それぞれ、赤、緑、青、黄、シアンおよびマゼンタのいずれかである場合、
前記第１の色が赤であるとき、前記第２および第３の色は黄およびマゼンタであり、
前記第１の色が緑であるとき、前記第２および第３の色は黄およびシアンであり、
前記第１の色が青であるとき、前記第２および第３の色はマゼンタおよびシアンであり、
前記第１の色が黄であるとき、前記第２および第３の色は赤および緑であり、
前記第１の色がシアンであるとき、前記第２および第３の色は青および緑であり、
前記第１の色がマゼンタであるとき、前記第２および第３の色は青および赤である、請求項１３に記載の表示装置。
【請求項１５】
画素を有する表示装置であって、
前記画素は、第１の色相を有する第１の色、第２の色相を有する第２の色、第３の色相を有する第３の色、および、第４の色相を有する第４の色を任意の輝度で任意に組み合わせて表示可能であり、
前記第２の色相は、Ｌ*ａ*ｂ*表色系色度図において、前記画素の色相のうち前記第１の色相に最も近い色相であり、前記第３の色相は、Ｌ*ａ*ｂ*表色系色度図において、前記画素の色相のうち前記第１の色相に対して前記第２の色相とは反対側にある色相の中で前記第１の色相に最も近い色相であり、
前記画素の各色の輝度は、前記画素によって表示される色が黒から前記第１の色を経て白まで変化する場合に、前記第１の色の輝度の増加を開始し、前記第１の色の輝度が所定の輝度に達すると、前記第２の色および前記第３の色の少なくとも一方のみの輝度の増加を開始するように設定されている、表示装置。
【発明の詳細な説明】
【技術分野】
【０００１】
本発明は、４つ以上の原色を用いて表示を行う表示装置に関する。
【背景技術】
【０００２】
カラーテレビ、カラーモニター等のカラー表示装置は、通常、ＲＧＢ原色（すなわち、赤、緑および青）を加法混色することにより色表現を行っている。カラー表示装置の各画素は、ＲＧＢ原色に対応して赤、緑および青サブ画素を有しており、赤、緑および青サブ画素の輝度を所望の輝度に設定することにより、多様な色が表現される。【０００３】
各サブ画素の輝度は、各サブ画素の最小階調（例えば、階調０）から最大階調（例えば、階調２５５）までの範囲内で変化するが、ここでは、便宜上、サブ画素の最小階調のときのサブ画素の輝度を「０」と表し、サブ画素の最大階調のときのサブ画素の輝度を「１」と表す。サブ画素の輝度は「０」から「１」までの範囲内で制御される。【０００４】
すべてのサブ画素、すなわち、赤、緑および青サブ画素の輝度が「０」であるとき、画素によって表示される色は黒である。反対に、すべてのサブ画素の輝度が「１」であるとき、画素によって表示される色は白である。但し、最近のＴＶセットでは、ユーザーでも色温度を調整できるようになっていることが多く、その際、各サブ画素の輝度を微調整することによって色温度調整をおこなっている。そのため、ここでは、所望の色温度調整後のサブ画素の輝度を「１」とする。【０００５】
ここで、図２５を参照して、従来の表示装置において、各サブ画素の輝度を変化させることにより、画素によって表示される色が黒から赤を経て白まで変化する場合を説明する。以下の説明において、赤サブ画素のみによって表示される色をＲと表し、その色相を色相（Ｒ）または単に（Ｒ）と表す。【０００６】
図２５は、従来の表示装置において、各サブ画素の輝度の変化と画素によって表示される色の変化との関係を示す図であり、（ａ）は、画素によって表示される色の変化を示す図であり、（ｂ）は、赤、緑および青サブ画素の輝度の変化を示す図である。【０００７】
はじめ、画素によって表示される色は黒であり、赤、緑および青サブ画素の輝度は「０」である。まず、赤サブ画素の輝度の増加を開始する。赤サブ画素の輝度が増加するほど、画素によって表示される色の彩度および明度が増加する。赤サブ画素の輝度が「１」になると、画素によって表示される色の彩度は色相（Ｒ）において最大になる。以下の説明において、ある色相において彩度が最大となる色を最明色という。なお、最明度の表現を用いる際は、Ｌ*ａ*ｂ*表色系で行う。【０００８】
赤サブ画素の輝度は、「１」に達した後、「１」に保持される。次いで、画素の明度をさらに増加させるために、緑および青サブ画素の輝度の増加を開始する。このとき、緑および青サブ画素の輝度は同じ割合で増加する。緑および青サブ画素の輝度が同じ割合で増加すると、色相（Ｒ）を変化させることなく画素の明度を増加することができる。すべてのサブ画素の輝度が「１」になると、画素によって表示される色は白となる。従来の表示装置では、このようにサブ画素の輝度を変化させることにより、画素によって表示される色を黒から彩度の高い赤を経て白まで変化させることができる。【０００９】
また、従来の表示装置において、黄は、赤および緑を加法混色することによって表現される。ここで、図２６を参照して、従来の表示装置において、画素によって表示される色が黒から黄を経て白まで変化する場合を説明する。【００１０】
図２６は、従来の表示装置において、各サブ画素の輝度の変化と画素によって表示される色の変化との関係を示す図であり、（ａ）は、画素によって表示される色の変化を示す図であり、（ｂ）は、赤、緑および青サブ画素の輝度の変化を示す図である。【００１１】
はじめ、画素によって表示される色は黒であり、すべてのサブ画素の輝度は「０」である。まず、赤および緑サブ画素の輝度を同じ割合で「１」まで増加する。赤および緑サブ画素の輝度が「１」に達したとき、画素によって表示される色は、黄の色相における最明色となる。赤および緑サブ画素の輝度は、「１」に達した後、「１」に保持される。次いで、画素の明度をさらに増加させるために、青サブ画素の輝度の増加を開始する。赤および緑サブ画素の輝度を「１」に保持したまま青サブ画素の輝度を増加することにより、黄の色相を変化させることなく画素の明度を増加することができる。すべてのサブ画素の輝度が「１」になると、画素によって表示される色は白となる。従来の表示装置では、このようにサブ画素の輝度を変化させることにより、画素によって表示される色を黒から彩度の高い黄を経て白まで変化させることができる。【００１２】
また、ここでは、加法混色を行うことにより黄を表示する場合を説明したが、赤、緑および青サブ画素の輝度を任意の輝度に設定することにより、多様な色を表示することができる。【００１３】
一方、上述したような３原色の表示装置とは異なり、４原色以上の多原色を加法混色する表示装置が提案されている。この表示装置では、ＲＧＢという３つの色に加えてさらなる色を追加した多原色化を行うことにより、色表現範囲を拡大している（例えば、特許文献１参照）。
【特許文献１】特表２００４−５２９３９６号公報
【発明の開示】
【発明が解決しようとする課題】
【００１４】
しかし、本願発明者の検討によれば、３原色に単純に色を追加しただけでは、実際には広い色表現範囲で表示を行うことができない。【００１５】
本発明は、上記課題を鑑みてなされたものであり、その目的は、広い色表現範囲で表示を行うことができる表示装置を提供することにある。
【課題を解決するための手段】
【００１６】
本発明の表示装置は、複数のサブ画素によって規定される画素を有する表示装置であって、前記複数のサブ画素は、第１の色相を有する第１の色を表示する第１サブ画素と、第２の色相を有する第２の色を表示する第２サブ画素と、第３の色相を有する第３の色を表示する第３サブ画素と、第４の色相を有する第４の色を表示する第４サブ画素とを有し、前記第２の色相は、Ｌ*ａ*ｂ*表色系色度図において、前記複数のサブ画素の色相のうち前記第１の色相に最も近い色相であり、前記第３の色相は、Ｌ*ａ*ｂ*表色系色度図において、前記複数のサブ画素の色相のうち前記第１の色相に対して前記第２の色相とは反対側にある色相の中で前記第１の色相に最も近い色相であり、前記複数のサブ画素の輝度は、前記画素によって表示される色が黒から前記第１の色を経て白まで変化する場合に、前記第１サブ画素の輝度の増加を開始し、前記第１サブ画素の輝度が所定の輝度に達すると、前記複数のサブ画素のうち前記第２サブ画素および前記第３サブ画素の少なくとも一方のみの輝度の増加を開始するように設定されている。【００１７】
ある実施形態において、前記画素によって表示される色の色相が前記第１の色相から変化しないように、前記第２サブ画素および前記第３サブ画素の輝度の増加を開始する。【００１８】
ある実施形態において、前記複数のサブ画素の色相のうち前記第１の色相から最も遠い色相に対応するサブ画素の輝度の増加を、他のサブ画素の輝度の増加を開始した後に、開始する。【００１９】
ある実施形態において、前記第１の色は、赤、緑および青のいずれかであり、前記第１サブ画素の輝度が前記所定の輝度に達したとき、前記画素によって表示される色は前記第１の色相における最明色である。【００２０】
ある実施形態において、前記第１の色は、黄、シアンおよびマゼンタのいずれかであり、前記第１、第２および第３サブ画素の輝度がそれぞれ所定の輝度に達したとき、前記画素によって表示される色は、前記第１の色相における最明色である。【００２１】
ある実施形態において、前記第２サブ画素および前記第３サブ画素の一方が所定の輝度に達すると、前記第４サブ画素の輝度の増加を開始する。【００２２】
ある実施形態において、前記所定の輝度は、前記第１サブ画素の最大階調に対応する輝度の「０．８」以上「１」以下である。【００２３】
ある実施形態において、前記所定の輝度は、前記第１サブ画素の最大階調に対応する輝度である。【００２４】
ある実施形態において、前記第１、第２、第３および第４の色が、それぞれ、赤、緑、青および黄のいずれかである場合、前記第１の色が赤であるとき、前記第２および第３の色は黄および青であり、前記第１の色が緑であるとき、前記第２および第３の色は黄および青であり、前記第１の色が青であるとき、前記第２および第３の色は赤および緑であり、前記第１の色が黄であるとき、前記第２および第３の色は赤および緑である。【００２５】
ある実施形態において、前記複数のサブ画素は、第５の色相を有する第５の色を表示する第５サブ画素をさらに有し、前記第５の色は、Ｌ*ａ*ｂ*表色系色度図において、前記複数のサブ画素のうち前記第１の色相に対して前記第２の色相と同じ側にある色相の中で前記第１の色相に前記第２の色相の次に近い色相であり、前記第２サブ画素の輝度が所定の輝度に達すると、前記第５サブ画素の輝度の増加を開始する。【００２６】
ある実施形態において、前記第１の色は、黄、シアンおよびマゼンタのいずれかであり、前記第１、第２および第３サブ画素の輝度が所定の輝度となると、前記第４および第５サブ画素の輝度の増加を同時に開始する。【００２７】
ある実施形態において、前記第１、第２、第３、第４および第５の色が、それぞれ、赤、緑、青、黄およびシアンのいずれかである場合、前記第１の色が赤であるとき、前記第２および第３の色は黄および青であり、前記第１の色が緑であるとき、前記第２および第３の色は黄およびシアンであり、前記第１の色が青であるとき、前記第２および第３の色は赤およびシアンであり、前記第１の色が黄であるとき、前記第２および第３の色は赤および緑であり、前記第１の色がシアンであるとき、前記第２および第３の色は青および緑である。【００２８】
ある実施形態において、前記複数のサブ画素は、第６の色相を有する第６の色を表示する第６サブ画素をさらに有し、前記第６の色相は、Ｌ*ａ*ｂ*表色系色度図において、前記複数のサブ画素の色相のうち前記第１の色相に対して第３の色相と同じ側にある色相の中で前記第１の色相に前記第３の色相の次に近い色相であり、前記第３サブ画素の輝度が所定の輝度に達すると、前記第６サブ画素の輝度の増加を開始する。【００２９】
ある実施形態において、前記第１、第２、第３、第４、第５および第６の色が、それぞれ、赤、緑、青、黄、シアンおよびマゼンタのいずれかである場合、前記第１の色が赤であるとき、前記第２および第３の色は黄およびマゼンタであり、前記第１の色が緑であるとき、前記第２および第３の色は黄およびシアンであり、前記第１の色が青であるとき、前記第２および第３の色はマゼンタおよびシアンであり、前記第１の色が黄であるとき、前記第２および第３の色は赤および緑であり、前記第１の色がシアンであるとき、前記第２および第３の色は青および緑であり、前記第１の色がマゼンタであるとき、前記第２および第３の色は青および赤である。【００３０】
本発明の表示装置は、画素を有する表示装置であって、前記画素は、第１の色相を有する第１の色、第２の色相を有する第２の色、第３の色相を有する第３の色、および、第４の色相を有する第４の色を任意の輝度で任意に組み合わせて表示可能であり、前記第２の色相は、Ｌ*ａ*ｂ*表色系色度図において、前記画素の色相のうち前記第１の色相に最も近い色相であり、前記第３の色相は、Ｌ*ａ*ｂ*表色系色度図において、前記画素の色相のうち前記第１の色相に対して前記第２の色相とは反対側にある色相の中で前記第１の色相に最も近い色相であり、前記画素の各色の輝度は、前記画素によって表示される色が黒から前記第１の色を経て白まで変化する場合に、前記第１の色の輝度の増加を開始し、前記第１の色の輝度が所定の輝度に達すると、前記第２の色および前記第３の色の少なくとも一方のみの輝度の増加を開始するように設定されている。
【発明の効果】
【００３１】
本発明の表示装置によれば、広い色表現範囲で表示を行うことができる。
【図面の簡単な説明】
【００３２】
【図１】本実施形態の表示装置の模式的なブロック図である。
【図２】（ａ）は、Ｌ*ａ*ｂ*表色系の色空間立体イメージを示した模式図であり、（ｂ）はＬ*ａ*ｂ*表色系色度図である。
【図３】第１実施形態の表示装置における５つのサブ画素の各色についてのａ*およびｂ*をプロットしたＬ*ａ*ｂ*表色系色度図である。
【図４】第１実施形態の表示装置における各サブ画素の輝度の変化と色表現範囲との関係を説明するための模式図であり、（ａ）は、画素の色表現範囲を示す色調図であり、（ｂ）は、画素によって表示される色の変化示す図であり、（ｃ）は、赤、黄、青、緑およびシアンサブ画素の輝度の変化を示す図である。
【図５】比較例の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、赤、黄、青、緑およびシアンサブ画素の輝度の変化を示す図である。
【図６】ＸＹＺ表色系色度図を示した模式図である。
【図７】第１実施形態の表示装置において、表２に示したようにサブ画素の輝度を制御した場合の彩度と明度との関係を示すグラフである。
【図８】第１実施形態の表示装置において、表３に示したようにサブ画素の輝度を制御した場合の彩度と明度との関係を示すグラフである。
【図９】第１実施形態の表示装置における画像処理回路の模式的なブロック図である。
【図１０】第１実施形態の表示装置と従来の表示装置との違いを説明するための模式的な図である。
【図１１】第２実施形態の表示装置における４つのサブ画素の各色についてのａ*およびｂ*をプロットしたＬ*ａ*ｂ*表色系色度図である。
【図１２】第３実施形態の表示装置における６つのサブ画素の各色についてのａ*およびｂ*をプロットしたＬ*ａ*ｂ*表色系色度図である。
【図１３】第４実施形態の表示装置における５つのサブ画素の各色についてのａ*およびｂ*をプロットしたＬ*ａ*ｂ*表色系色度図である。
【図１４】第４実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアンおよび青サブ画素の輝度の変化を示す図である。
【図１５】比較例の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアンおよび青サブ画素の輝度の変化を示す図である。
【図１６】第４実施形態の表示装置と従来の表示装置との違いを説明するための模式的な図である。
【図１７】第４実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアンおよび青サブ画素の輝度の変化を示す図である。
【図１８】第４実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアンおよび青サブ画素の輝度の変化を示す図である。
【図１９】第５実施形態の表示装置における４つのサブ画素の各色についてのａ*およびｂ*をプロットしたＬ*ａ*ｂ*表色系色度図である。
【図２０】第６実施形態の表示装置における６つのサブ画素の各色についてのａ*およびｂ*をプロットしたＬ*ａ*ｂ*表色系色度図である。
【図２１】第６実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアン、マゼンタおよび青サブ画素の輝度の変化を示す図である。
【図２２】第６実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアン、マゼンタおよび青サブ画素の輝度の変化を示す図である。
【図２３】第６実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアン、マゼンタおよび青サブ画素の輝度の変化を示す図である。
【図２４】第６実施形態の表示装置における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアン、マゼンタおよび青サブ画素の輝度の変化を示す図である。
【図２５】従来の表示装置において、各サブ画素の輝度の変化と画素によって表示される色の変化との関係を示す図であり、（ａ）は、画素によって表示される色の変化を示す図であり、（ｂ）は、赤、緑および青サブ画素の輝度の変化を示す図である。
【図２６】従来の表示装置において、各サブ画素の輝度の変化と画素によって表示される色の変化との関係を示す図であり、（ａ）は、画素によって表示される色の変化を示す図であり、（ｂ）は、赤、緑および青サブ画素の輝度の変化を示す図である。
【符号の説明】
【００３３】
１００  表示装置
２００  多色表示パネル
３００  画像処理回路
【発明を実施するための最良の形態】
【００３４】
（実施形態１）
以下に、図面を参照しながら、本発明の表示装置の第１の実施形態を説明する。【００３５】
図１は、本実施形態の表示装置１００の模式的なブロック図である。図１に示すように、表示装置１００は、多色表示パネル２００と、多色表示パネル２００に入力する信号を生成する画像処理回路３００とを備える。多色表示パネル２００は、例えば、液晶パネルである。多色表示パネル２００は複数の画素を有しており、各画素は、複数のサブ画素によって規定されている。本実施形態の表示装置１００において、各画素は、５つのサブ画素（赤、緑、青、黄およびシアンサブ画素）を有している。【００３６】
なお、以下の説明において、赤サブ画素のみによって表示される色をＲ、その色相を色相（Ｒ）または単に（Ｒ）と表す。同様に、緑サブ画素のみによって表示される色をＧ、その色相を色相（Ｇ）または（Ｇ）と、青サブ画素のみによって表示される色をＢ、その色相を色相（Ｂ）または（Ｂ）と、黄サブ画素のみによって表示される色をＹｅ、その色相を色相（Ｙｅ）または（Ｙｅ）と、シアンサブ画素のみによって表示される色をＣ、その色相を色相（Ｃ）または（Ｃ）と表す。１つの画素における５つのサブ画素は、例えば、多色表示パネル２００に設けられたカラーフィルタ（図示せず）において１つの画素領域あたり５つの異なるサブ画素領域を形成することによって実現される。【００３７】
図２（ａ）は、Ｌ*ａ*ｂ*表色系の色空間立体イメージを示した模式図である。図２（ａ）では、明度はＬ*によって表され、色相および彩度は色度ａ*およびｂ*によって特定される。具体的には、Ｃ*＝√（（ａ*）2＋（ｂ*）2）とすると、彩度はＣ*で表され、色相は、色相角ｔａｎ-1（ｂ*／ａ*）によって表される。図２（ａ）に示すように、＋Ｌ方向に大きいほど明度が高くなり（白に近くなり）、−Ｌ方向に近いほど明度が低くなる（黒に近くなる）。【００３８】
図２（ｂ）は、Ｌ*ａ*ｂ*表色系色度図である。図２（ｂ）の色度図は、図２（ａ）の模式図を水平方向に切った断面図に相当する。図２（ａ）および図２（ｂ）に示すように、＋ａ*方向は赤方向、−ａ*方向は緑方向、＋ｂ*方向は黄方向、−ｂ*方向は青方向を表しており、色度ａ*およびｂ*の絶対値が大きいほど彩度が高く（色あざやかになり）、その絶対値が小さいほど彩度が低い（くすんだ色になる）。【００３９】
図３は、本実施形態の表示装置１００における５つのサブ画素の各色についてのａ*およびｂ*をプロットしたＬ*ａ*ｂ*表色系色度図である。図３は、そのサブ画素のみによって表示される色の色相角を示している。色相角は、ａ*方向（赤方向）の軸を０°として、この方向から反時計方向に回転した角度である。図３に示すように、Ｒは３９°、Ｙｅは９４°、Ｇは１４２°、Ｃは２４５°およびＢは３０１°である。【００４０】
図３を参照して、色相間の近さ・遠さを検討する。色相間の近さ・遠さは、色相角の差によって表される。ある色相と別の色相との色相角の差が小さいと、２つの色相は互いに近く、反対に、ある色相と別の色相との色相角の差が大きいと、２つの色相は互いに遠い。ここで、Ｒの色相（Ｒ）を基準として他の色相との近さを検討すると、（Ｒ）に最も近い色相は（Ｙｅ）（色相角の差５５°）であり、次に近い色相は（Ｂ）（色相角の差９８°）であり、次に近い色相は（Ｇ）（色相角の差１０３°）であり、最も遠い色相は（Ｃ）（色相角の差１５４°）である。ここで、（Ｙｅ）は（Ｒ）に対して反時計回りの方向にあり、（Ｂ）は（Ｒ）に対して時計回りの方向にある。すなわち、Ｌ*ａ*ｂ*表色系色度図において（Ｙｅ）は（Ｒ）に対して（Ｂ）と反対側にある。また、Ｌ*ａ*ｂ*表色系色度図において（Ｇ）は（Ｒ）に対して（Ｙｅ）と同じ側にあり、（Ｃ）は（Ｒ）に対して（Ｂ）と同じ側にある。【００４１】
また、Ｌ*ａ*ｂ*表色系色度図において、反時計回りの方向で（Ｒ）に最も近いのは（Ｙｅ）であり、時計回りの方向で（Ｒ）に最も近いのは（Ｂ）である。本明細書において、このような場合、Ｌ*ａ*ｂ*表色系色度図において、（Ｙｅ）および（Ｂ）は（Ｒ）の両隣にあるとも称する。なお、ここでは、Ｌ*ａ*ｂ*表色系色度図を参照して色相（Ｒ）に対する色相（Ｇ）、（Ｂ）、（Ｙｅ）および（Ｃ）の近さを検討したが、色相（Ｒ）、（Ｇ）、（Ｂ）、（Ｙｅ）および（Ｃ）を色相環上に表し、色相（Ｒ）に対する色相（Ｇ）、（Ｂ）、（Ｙｅ）および（Ｃ）の近さを検討してもよい。【００４２】
以下に、図４を参照して、画素によって表示される色が黒から赤を経て白まで変化する場合を説明する。図４は、本実施形態の表示装置１００における各サブ画素の輝度の変化と色表現範囲との関係を説明するための模式図である。図４（ａ）は、画素の色表現範囲を示す色調図である。色調図では、横軸は彩度（Ｃ*と表すこともある）を示し、縦軸は明度（Ｌ*と表すこともある）を示している。図４（ｂ）は、画素によって表示される色の変化を示す図であり、図４（ｃ）は、赤、黄、青、緑およびシアンサブ画素の輝度の変化を示す図である。【００４３】
各サブ画素の輝度は、各サブ画素の最小階調（例えば、階調０）から最大階調（例えば、階調２５５）の範囲内で変化する。ここでは、便宜上、サブ画素が最小階調のときのサブ画素の輝度を「０」と表し、サブ画素が最大階調のときのサブ画素の輝度を「１」と表しており、サブ画素の輝度は、「０」から「１」の範囲内で変化する。【００４４】
はじめ、すべてのサブ画素、すなわち、赤、黄、青、緑およびシアンサブ画素の輝度が「０」であり、画素によって表示される色は黒である。まず、赤サブ画素の輝度の増加を開始する。赤サブ画素の輝度が増加するほど、画素の彩度および明度は増加する。赤サブ画素の輝度が「１」に達すると、画素によって表示される色は、色相（Ｒ）における最明色となる。【００４５】
赤サブ画素の輝度は、「１」に達した後、「１」に保持される。次いで、画素の明度をさらに増加させるために、黄および青サブ画素の輝度の増加を開始する。なお、黄および青サブ画素の輝度が増加すると、画素によって表示される色の彩度は減少する。このとき、黄および青サブ画素の輝度は、色相（Ｒ）が変化しないように、異なる割合で増加する。ここでは、黄サブ画素の輝度の増加の割合は、青サブ画素の輝度の増加の割合よりも大きい。これは、黄サブ画素の輝度と青サブ画素の輝度とを同じ割合で増加させると、画素によって表示される色の色相が色相（Ｒ）から色相（Ｂ）の方に変化してしまうからである。黄および青サブ画素の輝度の増加の割合は、画素によって表示される色の色相（Ｒ）が変化しないように、設定されている。【００４６】
なお、理想的には、黄サブ画素の輝度の増加および青サブ画素の輝度の増加は同時に開始するが、上述したように、黄サブ画素の輝度の増加の割合は、青サブ画素の輝度の増加の割合よりも大きいので、実際には、この制御を具現化する回路における数値の量子化等の結果、黄サブ画素の輝度の増加を先に開始し、その後、青サブ画素の輝度の増加を開始することもある。【００４７】
黄サブ画素の輝度の増加の割合は、青サブ画素の輝度の増加の割合よりも大きいので、黄サブ画素の輝度は青サブ画素の輝度よりも前に「１」に達する。黄サブ画素の輝度は、「１」に達した後、「１」に保持される。黄サブ画素の輝度が「１」に達すると、緑サブ画素の輝度の増加を開始する。ここでも、緑サブ画素の輝度の増加の割合は、緑および青サブ画素の輝度の増加に伴って色相（Ｒ）が変化しないように、設定されている。【００４８】
青サブ画素の輝度は緑サブ画素の輝度よりも前に「１」に達する。青サブ画素の輝度は、「１」に達した後、「１」に保持される。青サブ画素の輝度が「１」に達すると、シアンサブ画素の輝度の増加を開始する。ここでも、シアンサブ画素の輝度の増加の割合は、緑およびシアンサブ画素の輝度の増加に伴って色相（Ｒ）が変化しないように、設定されている。また、緑サブ画素の輝度とシアンサブ画素の輝度は、同時に「１」に達するように増加する。すべてのサブ画素の輝度が「１」となると、画素によって表示される色は白となる。【００４９】
上述したように各サブ画素の輝度を変化させることにより、画素によって表示される色は、図４（ｂ）に示すように黒から色相（Ｒ）における最明色を経て白に変化する。ここで、図４（ａ）の曲線Ｆ４は、各サブ画素の輝度を図４（ｃ）に示したように変化させた場合に画素によって表示される色の彩度および明度の変化の軌跡を示している。【００５０】
なお、詳細は後述するが、曲線Ｆ４は、色相（Ｒ）において画素によって表現可能な色の彩度および明度の上限であり、図４（ｃ）に示したのとは異なるように各サブ画素の輝度を変化させて赤の明度を変化させた場合、画素によって表示される色の彩度を曲線Ｆ４に示した彩度よりも大きくすることはできない。したがって、本実施形態の表示装置１００は、色相（Ｒ）において図４（ａ）に示した縦軸と曲線Ｆ４によって囲まれた範囲内の彩度および明度の色を表示することができる。なお、以下の説明において、この範囲を色表現範囲とも称する。【００５１】
また、図４（ａ）において、Ｐｏは、ポインターガマット（Ｐｏｉｎｔｅｒ  Ｇａｍｕｔ）の色相（Ｒ）における部分を示している。ポインターガマットは、自然界に存在する物体の物体色の色域であり、自然界に存在する物体の物体色の彩度および明度の最大範囲を示している。図４（ａ）に示すように、表示装置１００の色表現範囲は、このポインターガマットの色相（Ｒ）における部分をカバーしているので、表示装置１００は、自然界に存在する物体の色を可能な限り多く表現（表示）することができる。【００５２】
ここで、再び、図３を参照して、赤以外のサブ画素の輝度を「０」にして、赤サブ画素の輝度のみを変化させたときの彩度の変化を説明する。【００５３】
赤サブ画素を含むすべてのサブ画素の輝度が「０」の場合、画素によって表示される色は黒であり、彩度はゼロである。これは、図３に示したＬ*ａ*ｂ*表色系色度図において彩度ゼロの点（原点）に相当する。赤サブ画素の輝度を増加するとともに、画素によって表示される色の色度ａ*およびｂ*は、図３において原点からＲに向いた矢印方向に沿って変化し、赤サブ画素の輝度が「１」に達すると、色度ａ*およびｂ*は、矢印方向において原点から最も離れた値（すなわち、ａ*は約７０、ｂ*は約６０）となる。赤サブ画素の輝度が「１」のときのａ*およびｂ*の値は、多色表示パネル２００（図１）が液晶パネルの場合、カラーフィルタ（図示せず）と光源（図示せず）とによって決定される。【００５４】
ここで図３および図４を参照して、サブ画素の輝度の増加を開始する順番について説明する。図４を参照して上述したように、本実施形態の表示装置１００では、画素の明度を増加させるために、まず、赤サブ画素の輝度の増加を開始し、その後、黄および青サブ画素、緑サブ画素、シアンサブ画素の順番に輝度の増加を開始する。【００５５】
図３を参照して、この順番について説明する。まず、色相が（Ｒ）である赤サブ画素の輝度を増加し、次いで、色相が（Ｒ）に隣接する（Ｙｅ）および（Ｂ）に対応する黄および青サブ画素の輝度を増加している。次いで、黄サブ画素の輝度が「１」に達すると、（Ｒ）に対して（Ｙｅ）と同じ側にある（Ｇ）に対応する緑サブ画素の輝度の増加を開始する。また、青サブ画素の輝度が「１」に達すると、（Ｒ）に対して（Ｂ）と同じ側にある（Ｃ）に対応するシアンサブ画素の輝度の増加を開始する。このように、本実施形態の表示装置１００では、画素によって表示する赤に対応する色相（Ｒ）から、色相（Ｒ）に近い色相に対応するサブ画素の輝度の増加を開始している。【００５６】
本実施形態の表示装置１００において、上述したようにサブ画素の輝度を順番に増加させることにより、広い色表現範囲を得ることができる理由は、以下のように考えられる。赤サブ画素の輝度が「１」に達した後、画素の明度をさらに増加させるためには他の色相に対応するサブ画素の輝度を増加することが必要となるが、どのサブ画素の輝度を増加させても、画素によって表示される色の彩度は低下する。しかしながら、その中でも、赤に色相（Ｒ）に遠い色相の色を追加すると、赤の彩度が大きく低下してしまうのに対して、赤に、色相（Ｒ）に近い色相の色を追加しても、赤の彩度はそれほど低下しない。したがって、色相（Ｒ）に遠い色相よりも色相（Ｒ）に近い色相に対応するサブ画素の輝度の増加を早く開始する方が、彩度の低下を抑制して明度を増加させることができる。したがって、本実施形態の表示装置１００によれば、彩度の低下を抑えた広い色表現範囲内で色を表現することができる。【００５７】
ここで、本実施形態の表示装置１００と比較例の表示装置とを比較して、本実施形態の表示装置１００の利点を説明する。比較例の表示装置でも、本実施形態の表示装置１００と同様に、各画素は、５つのサブ画素、すなわち、赤、緑、青、黄およびシアンサブ画素を有している。【００５８】
図２５を参照して上述したように、従来の表示装置では、赤サブ画素の輝度が「１」に達した後、緑および青サブ画素の輝度の増加を同時に開始する。比較例の表示装置では、従来の表示装置と同様に、赤サブ画素の輝度が「１」に達した後、黄、緑、青およびシアンサブ画素の輝度の増加を同時に増加する。図５は、比較例の表示装置における各サブ画素の輝度の変化と色表現範囲との関係を説明するための模式図である。図５（ａ）は、画素の色表現範囲を示す色調図であり、図５（ｂ）は、画素によって表示される色の変化を示す図であり、図５（ｃ）は、赤、黄、青、緑およびシアンサブ画素の輝度の変化を示す図である。【００５９】
比較例の表示装置でも、はじめ、すべてのサブ画素、すなわち、赤、黄、青、緑およびシアンサブ画素の輝度が「０」であり、画素によって表示される色は黒である。まず、赤サブ画素の輝度の増加を開始する。赤サブ画素の輝度が増加すると、画素によって表示される色の彩度および明度が増加する。赤サブ画素の輝度が「１」に達した後、比較例の表示装置では、図５（ｃ）に示すように、黄、青、緑およびシアンサブ画素の輝度の増加を同時に開始する。黄、青、緑およびシアンサブ画素の輝度は同じ割合で増加する。この場合も、サブ画素の輝度の増加により、画素によって表示される色の明度も増加する。すべてのサブ画素の輝度が「１」となると、画素によって表示される色は白となる。【００６０】
比較例の表示装置においても、図５（ｃ）に示すように各サブ画素の輝度を変化させることにより、画素によって表示される色は、図５（ｂ）に示すように黒から色相（Ｒ）における最明色を経て白に変化する。【００６１】
しかしながら、図５（ａ）に示すように、比較例の表示装置の色表現範囲は、ポインターガマットの色相（Ｒ）における部分を十分にカバーしていない。したがって、比較例の表示装置では、自然界に存在する物体の物体色を十分に表現（表示）することができない。【００６２】
ここで、図４（ｃ）および図５（ｃ）を比較すると、本実施形態の表示装置１００および比較例の表示装置のいずれも、画素によって表示される色が黒から色相（Ｒ）における最明色になるまで、サブ画素の輝度を同じように変化させているが、最明色から白になるまでのサブ画素の輝度の変化が異なる。具体的には、本実施形態の表示装置１００では、黄および青サブ画素の輝度の増加を開始した後、緑サブ画素、シアンサブ画素の順番に輝度の増加を開始するのに対して、比較例の表示装置では、黄、青、緑およびシアンサブ画素の輝度の増加を同時に開始している。  その結果、図４（ａ）の曲線Ｆ４は最明色における明度より高い明度においても彩度が比較的高いのに対して、図５（ａ）の曲線Ｆ５は最明色の明度より高い明度において彩度が比較的低くなっている。つまり、本実施形態の表示装置１００は、サブ画素の輝度を上述したように変化させることにより、比較例の表示装置では表現できない彩度の高い色を表現することができる。したがって、本実施形態の表示装置１００によれば、画素によって表示される色の各明度における彩度を大きくすることができ、広い色表現範囲で表示を行うことができる。【００６３】
なお、図４を参照して説明した内容は、画素によって表示される色を黒から赤を経て白に変化させるときのサブ画素の点灯（輝度の増加）の開始のタイミングのみを説明しているわけではないことに留意されたい。図４を参照して説明した内容は、画素によって表示される色に対応したサブ画素の輝度（表示階調）を設定するためのアルゴリズムに他ならない。つまり、本実施形態の表示装置１００では、図４（ａ）に示した曲線Ｆ４上の各点に対応する色を表示するためのサブ画素の輝度の組み合わせが、上述したアルゴリズムに基づいて設定されている。言い換えると、図４（ｃ）は、単に、サブ画素を点灯させる（輝度の増加を開始する）タイミングを示しているだけでなく、曲線Ｆ４上の各点に対応した色を表示するためのサブ画素の輝度の組み合わせそのものを示している。例えば、図４（ａ）に示した曲線Ｆ４上の点Ｐ４の色を表示する場合、赤、黄、青、緑およびシアンサブ画素の輝度は、（「1」、「1」、「０．７」、「０」、「０」）と設定される。なお、各サブ画素の輝度は、上述したアルゴリズムに基づいて予め用意されていてもよく、あるいは、演算によって生成されてもよい。このように、本実施形態の表示装置１００では、上述したアルゴリズムに基づいて従来の表示装置では表示できなかった色を表示することができる。【００６４】
図６は、ＸＹＺ表色系色度図を示した模式図である。図６にはスペクトル軌跡および主波長を示している。本明細書において、主波長が６１５ｎｍ以上６３５ｎｍ以下のサブ画素を赤サブ画素と称し、主波長が５６５ｎｍ以上５８０ｎｍ以下のサブ画素を黄サブ画素と称し、主波長が５２０ｎｍ以上５５０ｎｍ以下のサブ画素を緑サブ画素と称し、主波長が４７５ｎｍ以上５００ｎｍ以下の主波長をシアンサブ画素と称し、主波長が４７０ｎｍ以下の主波長を青サブ画素と称している。【００６５】
ここで、再び、本実施形態の表示装置１００をより具体的に説明する。【００６６】
表１は、各サブ画素によって表示される色のＸＹＺ表色系における色度ｘ、ｙおよびＹ値を示すテーブルである。【００６７】
【表１】
2007032133.tif 000002
【００６８】
表２は、図４（ｃ）に示したのと同様のサブ画素の輝度の変化を示したテーブルである。なお、表２は、表１で示す各サブ画素の値を用いた時の輝度変化の具体例である。【００６９】
【表２】
2007032133.tif 000003
【００７０】
表２に示すように、画素によって表示される色が黒から赤を経て白まで変化する場合、まず、赤サブ画素の輝度が「０」から「１」まで増加する。赤サブ画素の輝度が「１」に達したとき、画素によって表示される色は色相（Ｒ）における最明色となる。このとき、赤、緑、青、シアンおよび黄サブ画素の輝度は、それぞれ、（「１．００」、「０．００」、「０．００」、「０．００」、「０．００」）である。【００７１】
赤サブ画素の輝度が「１」に達すると、Ｌ*ａ*ｂ*表色系色度図において色相（Ｒ）に隣接する２つの色相（色相（Ｙｅ）および色相（Ｂ））に対応する黄および青サブ画素の輝度の増加を開始する。ここで、黄サブ画素の輝度の増加の割合は、青サブ画素の輝度の増加の割合よりも大きい。【００７２】
黄サブ画素の輝度が「１」に達すると、緑サブ画素の輝度の増加を開始する。このとき、赤、緑、青、シアンおよび黄サブ画素の輝度は、それぞれ、（「１．００」、「０．００」、「０．７０」、「０．００」、「１．００」）である。緑サブ画素の色相（Ｇ）は、Ｌ*ａ*ｂ*表色系色度図において色相（Ｒ）に対して色相（Ｙｅ）と同じ側にあり、かつ、色相（Ｒ）から色相（Ｙｅ）の次に近い色相である。【００７３】
青サブ画素の輝度が「１」に達すると、シアンサブ画素の輝度の増加を開始する。このとき、赤、緑、青、シアンおよび黄サブ画素の輝度は、それぞれ、（「１．００」、「０．５０」、「１．００」、「０．００」、「１．００」）である。シアンサブ画素の色相（Ｃ）は、Ｌ*ａ*ｂ*表色系色度図において色相（Ｒ）に対して色相（Ｂ）と同じ側にあり色相（Ｒ）から色相（Ｂ）の次に近い色相である。【００７４】
緑およびシアンサブ画素の輝度が「１」に達すると、画素によって表示される色は白になる。このとき、赤、緑、青、シアンおよび黄サブ画素の輝度は、それぞれ、（「１．００」、「１．００」、「１．００」、「１．００」、「１．００」）である。【００７５】
図７は、表２に示したようにサブ画素の輝度を変化させた場合の彩度と明度との関係を示す色調図である。図７において、Ｔ２は、表２に示したようにサブ画素の輝度を変化させた場合の彩度と明度との関係を示す曲線を示しており、Ｐｏは、ポインターガマットの色相（Ｒ）における部分を示している。表２に示したようにサブ画素の輝度を変化させることにより、表示装置１００の色表現範囲は、ポインターガマットの色相（Ｒ）における部分をカバーする。【００７６】
なお、上述した説明では、赤サブ画素の輝度が「１」に達した後、黄および青サブ画素の輝度の増加を開始したが、本実施形態はこれに限定されない。赤サブ画素の輝度が１未満の輝度に達した後、黄および青サブ画素の輝度の増加を開始してもよい。【００７７】
以下に、赤サブ画素の輝度が「０．８」に達した後、黄および青サブ画素の輝度の増加を開始する場合を説明する。【００７８】
表３は、本実施形態の表示装置１００によるサブ画素の輝度の変化を示したテーブルである。また、表３も同様、表１で示す各サブ画素の値を用いた時の輝度変化の具体例である。【００７９】
【表３】
2007032133.tif 000004
【００８０】
表３に示すように、まず、赤サブ画素の輝度が「０」から「０．８」まで増加する。この場合、赤サブ画素の輝度が「０．８」に達すると、画素によって表示される色は色相（Ｒ）における最明色となる。その後、Ｌ*ａ*ｂ*表色系色度図において色相（Ｒ）に隣接する２つの色相（色相（Ｙｅ）および色相（Ｂ））に対応する黄および青サブ画素の輝度の増加を開始する。また、赤サブ画素の輝度を「０．８」から所定の割合で増加させる。その後の緑、青、シアンおよび黄サブ画素の輝度の変化は、表２で示したのと同様である。ただし、赤サブ画素の輝度は「０．８」から所定の割合で増加し、緑およびシアンサブ画素の輝度と同時に「１」に達する。【００８１】
図８は、表３に示したようにサブ画素の輝度を変化させた場合の色調図である。図８において、Ｔ３は、表３に示したようにサブ画素の輝度を変化させた場合における彩度と明度との関係を示す曲線を示しており、Ｐｏは、ポインターガマットの色相（Ｒ）における部分を示している。また、図８において、Ｔ２は、表２に示したようにサブ画素の輝度を変化させた場合における彩度と明度との関係を示す曲線を示している。【００８２】
表３に示したようにサブ画素の輝度の変化を制御した結果、本実施形態の表示装置１００による色表現範囲は、ポインターガマットの色相（Ｒ）における部分をカバーする。このように、赤サブ画素の輝度が「１」に達する前に、黄および青サブ画素の輝度の増加を開始しても、自然界に存在する物体の物体色をより正確に表現することができる。【００８３】
なお、表２では、赤サブ画素の輝度が「１」に達した後、黄および青サブ画素の増加を開始しているのに対して、表３では、赤サブ画素の輝度が「０．８」に達した後、黄および青サブ画素の増加を開始しているため、図８に示すように、曲線Ｔ３における最明色の明度は、曲線Ｔ２における最明色の明度よりも低くなっている。一般に、黄および青サブ画素の増加を開始する時点の赤サブ画素の輝度が低いほど最明色における明度は低くなる。最明色における明度が低くなりすぎると、ポインターガマットの色相（Ｒ）における部分を十分にカバーしなくなるため、黄および青サブ画素の増加を開始する赤サブ画素の所定の輝度は、表示装置による色表現範囲がポインターガマットの色相（Ｒ）における部分をカバーする範囲で調整可能である。具体的には、黄および青サブ画素の増加を開始する赤サブ画素の所定の輝度は、「０．８」から「１」の範囲で調整可能である。【００８４】
また、表２では、輝度を同時に増加させるサブ画素は１つまたは２つであったが、表３に示すように、３つのサブ画素の輝度を同時に増加して、画素の明度を増加してもよい。この場合、３つのサブ画素のうちの１つは、複数のサブ画素のうち最も早く輝度の増加を開始したサブ画素である。【００８５】
本実施形態の表示装置１００では、画像処理回路３００は、テレビジョン信号に基づいて多色表示パネル２００に入力するための信号を生成してもよい。テレビジョン信号はＲＧＢの映像信号であるので、テレビジョン信号を多色表示パネル２００に適合させるために、画像処理回路３００は、ＲＧＢの映像信号を多色表示信号に変換する。【００８６】
図９は、本実施形態の表示装置１００における画像処理回路３００の模式的なブロック図である。【００８７】
画像処理回路３００は、ＲＧＢ信号からＸＹＺ信号を生成するマトリクス演算部３１０と、ＸＹＺ信号から（ｘ、ｙ）信号と明度に対応するＹ値を示すＹ値信号とを分離して生成する分離部３２０と、（ｘ、ｙ）信号から（ｒ、ｇ、ｂ、ｙｅ、ｃ）信号を生成する変換回路３３０と、（ｒ、ｇ、ｂ、ｙｅ、ｃ）信号およびＹ値信号に基づいて（Ｒ、Ｇ、Ｂ、Ｙｅ、Ｃ）信号を生成する合成部３４０とを有する。【００８８】
ＲＧＢ信号は、３原色で表示を行うときの赤、緑および青サブ画素の輝度を示している。マトリクス演算部３１０は、ＲＧＢ信号に基づいてＸＹＺ信号を生成する。マトリクス演算部３１０では、ＲＧＢ信号における赤、緑および青サブ画素の輝度を用いて所定の換算式を計算することによって得られたＸＹＺを示すＸＹＺ信号が生成される。【００８９】
分離部３２０は、ＸＹＺ信号に示されたＸＹＺから所定の換算式を用いてｘおよびｙを計算し、ｘおよびｙを示す（ｘ、ｙ）信号を変換回路３３０に出力する。分離部３２０は、また、ＸＹＺのうちのＹを示すＹ値信号を生成し、Ｙ値信号を合成部３４０に出力する。Ｙ値は明度に対応している。（ｘ、ｙ）信号におけるｘおよびｙは、図６のＸＹＺ表色系色度図の横軸および縦軸の値である。ｘおよびｙによって色の色相および彩度が特定される。【００９０】
変換回路３３０は、ルックアップテーブルを参照して（ｘ、ｙ）信号に基づいて（ｒ、ｇ、ｂ、ｙｅ、ｃ）信号を生成する。（ｒ、ｇ、ｂ、ｙｅ、ｃ）信号に示される（ｒ、ｇ、ｂ、ｙｅ、ｃ）は、赤、緑、青、黄およびシアンサブ画素の輝度の割合を示している。変換回路３３０では、ｒ、ｇ、ｂ、ｙｅおよびｃのそれぞれのルックアップテーブルが用意されており、ｘおよびｙの値に基づいて、ｒ、ｇ、ｂ、ｙｅおよびｃの値がそれぞれ決定される。なお、（ｒ、ｇ、ｂ、ｙｅ、ｃ）によって色の色相および彩度が特定されるが、（ｒ、ｇ、ｂ、ｙｅ、ｃ）によって特定される彩度はｘおよびｙによって特定される彩度よりも高く表現することがある。本表示装置１００は、従来の表示装置には表現できない彩度の色の表現を可能にすることもできる装置である。また、ルックアップテーブルは、例えば、シンクロナス・ダイナミック・ラム（ＳＤＲＡＭ）などのＲＡＭ、およびリード・オンリ・メモリ（ＲＯＭ）を用いて構成することができる。【００９１】
変換回路３３０は、（ｒ、ｇ、ｂ、ｙｅ、ｃ）を示す（ｒ、ｇ、ｂ、ｙｅ、ｃ）信号を合成部３４０に出力する。合成部３４０は、（ｒ、ｇ、ｂ、ｙｅ、ｃ）信号およびＹ値信号に基づいて（Ｒ、Ｇ、Ｂ、Ｙｅ、Ｃ）信号を生成する。（Ｒ、Ｇ、Ｂ、Ｙｅ、Ｃ）信号におけるＲ、Ｇ、Ｂ、ＹｅおよびＣは、各サブ画素の輝度（階調）を示している。合成部３４０は、（Ｒ、Ｇ、Ｂ、Ｙｅ、Ｃ）信号を多色表示パネル２００に出力する。多色表示パネル２００は、各サブ画素の輝度（階調）が（Ｒ、Ｇ、Ｂ、Ｙｅ、Ｃ）信号に示されたＲ、Ｇ、Ｂ、ＹｅおよびＣとなるようにサブ画素の輝度（階調）を制御する。【００９２】
以上のように、本実施形態の表示装置１００によれば、入力信号がＲＧＢの３原色映像信号であっても、より広い色表現範囲で表示を行うことができる。また、本画像処理回路３００の処理方法は、あくまで一例であり、他の方法で（Ｒ、Ｇ、Ｂ、Ｙｅ、Ｃ）信号を作成してもよい。【００９３】
ここで、本実施形態の表示装置１００と従来の表示装置との違いを別の観点から説明する。【００９４】
図１０は、本実施形態の表示装置１００と従来の表示装置５００との違いを説明するための模式的な図である。ここでは、入力信号として、ＲＧＢの３原色信号を用いている。または、入力信号は、一般にカラーテレビに用いられているＹＣｒＣｂ信号のように、ＲＧＢの３原色信号に変換可能な信号であってもよい。従来の表示装置５００は、表示パネル６００と、画像処理回路７００とを備える。【００９５】
図１０に示すように、本実施形態の表示装置１００および従来の表示装置５００の両方に、同じ入力信号が入力される。この入力信号は、多色表示パネル２００および表示パネル６００の全体が黒から赤を経て白まで変化するグラデーション表示を行うような信号である。このような入力信号を用いることにより、多原色表示装置が本実施形態の表示装置１００であるか容易に確認することができる。【００９６】
なお、図１０に示すように、多色表示パネル２００において、赤、黄、青、緑およびシアンサブ画素は短冊状の形状を有しており、ここでは、赤、黄、青、緑およびシアンサブ画素の順番にストライプ状に配列されている。一方、表示パネル６００において、赤、緑および青サブ画素も短冊状の形状を有しており、ここでは、赤、緑および青サブ画素の順番にストライプ状に配列されている。【００９７】
従来の表示装置５００において、表示パネル６００の部分Ｋは黒を表示する。部分Ｋでは、すべてのサブ画素の輝度は「０」である。表示パネル６００の部分Ｓは色相（Ｒ）における最明色を表示する。部分Ｓでは、赤サブ画素の輝度が「１」であるのに対して、緑および青サブ画素の輝度は「０」である。また、表示パネル６００の部分Ｗは白を表示する。部分Ｗにおいて、すべてのサブ画素の輝度は「１」である。表示パネル６００の部分Ｓと部分Ｗとの間では、部分Ｓから部分Ｗに進むにしたがって、緑および青サブ画素の輝度が大きくなり、画素の明度が高くなっている。【００９８】
一方、本実施形態の表示装置１００では、多色表示パネル２００の部分Ｋは黒を表示する。したがって、部分Ｋにおいてすべてのサブ画素の輝度は「０」である。多色表示パネル２００の部分Ｓは最明色を表示する。部分Ｓでは、赤サブ画素の輝度が「１」であるのに対して、黄、青、緑およびシアンサブ画素の輝度は「０」である。また、多色表示パネル２００の部分Ｗは白を表示する。部分Ｗにおいて、すべてのサブ画素の輝度は「１」である。なお、上述したように、ここでのサブ画素の輝度「１」とは、所望の色温度設定時の白を実現するための各サブ画素の輝度を示している。多色表示パネル２００の部分Ｓと部分Ｗとの間では、部分Ｓから部分Ｗに進むにしたがって、まず、黄および青サブ画素の輝度が大きくなり、黄および青サブ画素の輝度が「１」になると、緑およびシアンサブ画素の輝度が大きくなる。これにより、画素の明度が高くなっている。【００９９】
なお、これらのサブ画素の輝度は、グラデーション表示を行う多色表示パネル２００および表示パネル６００の画素をルーペなどで拡大して観察することによってチェックすることができる。【０１００】
また、上述した説明では、画素によって表示される色は赤を介して変化したが、本実施形態はこれに限定されない。画素によって表示される色は、赤以外の他の色、例えば、緑または青を介して変化してもよい。【０１０１】
画素によって表示される色が、黒から緑を経て白に変化する場合、まず、緑サブ画素の輝度の増加を開始し、緑サブ画素の輝度が所定の輝度に達すると、黄およびシアンサブ画素の輝度の増加を開始する。黄サブ画素の輝度が所定の輝度に達すると、赤サブ画素の輝度の増加を開始し、シアンサブ画素の輝度が所定の輝度に達すると、青サブ画素の輝度の増加を開始する。【０１０２】
また、画素によって表示される色が、黒から青を経て白に変化する場合、まず、青サブ画素の輝度の増加を開始し、青サブ画素の輝度が所定の輝度に達すると、赤およびシアンサブ画素の輝度の増加を開始する。赤サブ画素の輝度が所定の輝度に達すると、黄サブ画素の輝度の増加を開始し、シアンサブ画素の輝度が所定の輝度に達すると、緑サブ画素の輝度の増加を開始する。なお、画素によって表示される色が緑または青を介して変化する場合も、所定の輝度は、「０．８」以上であればよい。【０１０３】
また、上述した説明では、５つのサブ画素の色はＲＧＢＹｅＣであったが、本実施形態はこれに限定されない。サブ画素の色は任意の色を用いてもよい。ただし、５つのサブ画素の色がＲＧＢを含むことが好ましい。これは、一般に、ＲＧＢは図６に示したＸＹＺ表色系色度図のスペクトル軌跡内の比較的外側に位置し、色表現範囲を広くしやすいからである。また、ＲＧＢにさらに加える残りの２つの色はＹｅおよびＣであることが好ましい。これは、ＲＧＢの補色であるＹｅＣＭのいずれかを加えることにより色再現性を有効に広くすることができるが、特に、ＹｅＣＭのうちＹｅおよびＣを加えると、Ｍを加えるよりも高色再現かつ高輝度を実現できる。これは、ＹｅやＣがＭに比べ高輝度かつ高彩度の画素設計が可能だからである。【０１０４】
（実施形態２）
なお、実施形態１の表示装置では、各画素は５つのサブ画素を有していたが、サブ画素の数は５に限定されない。【０１０５】
本実施形態の表示装置では、各画素は４つのサブ画素を有している。４つのサブ画素は、赤、黄、緑および青サブ画素である。本実施形態の表示装置は、１つの画素あたりのサブ画素の数が異なる点を除いて、図１および図９を参照して説明した実施形態１の表示装置と同様の構成を有しており、冗長さを避けるために、重複する説明を省略する。【０１０６】
図１１は、本実施形態の表示装置１００における４つのサブ画素の各色についてのａ*およびｂ*をプロットしたＬ*ａ*ｂ*表色系色度図である。図１１は、そのサブ画素のみによって表示される色の色相角を示している。図１１に示すように、Ｒは４２°、Ｙｅは９１°、Ｇは１４３°およびＢは２７９°である。ここで、図１１に示した色は、図３に示した色と同様に表記されているが、図１１に示した色相角は、図３に示した色相角とわずかに異なる。これは、サブ画素の数や色によって効率の良い色再現性を実現するための画素設計は異なるためである。ここでも、（Ｒ）を基準として他の色相との近さを検討すると、（Ｒ）に最も近い色相は（Ｙｅ）（色相角の差４９°）であり、次に近い色相は（Ｇ）（色相角の差１０１°）であり、最も遠い色相は（Ｂ）（色相角の差１２３°）である。【０１０７】
以下に、画素によって表示される色が黒から赤を経て白に変化する場合を説明する。【０１０８】
本実施形態の表示装置１００では、赤サブ画素の輝度が所定の輝度に達したら、黄および青サブ画素の輝度の増加を開始する。黄サブ画素に対応する（Ｙｅ）は（Ｒ）から最も近い色相であり、青サブ画素に対応する（Ｂ）は（Ｒ）から最も遠い色相であるが、（Ｂ）は、Ｌ*ａ*ｂ*表色系色度図において（Ｒ）に対して（Ｙｅ）とは反対側で最も近い色相である。このように、赤サブ画素が所定の輝度に達したら、Ｌ*ａ*ｂ*表色系色度図において、（Ｒ）に隣接する２つの色相（すなわち、（Ｙｅ）および（Ｂ））に対応する黄および青サブ画素の輝度の増加を開始する。【０１０９】
黄および青サブ画素の輝度の増加を所定の割合で増加させることによって、色相（Ｒ）を変化させることなく、画素の明度を増加させていくことができる。なお、黄サブ画素の輝度の増加の割合は、青サブ画素の輝度の増加の割合よりも大きいので、黄サブ画素の輝度は、青サブ画素の輝度よりも前に「１」に達する。黄サブ画素の輝度が「１」に達すると、（Ｇ）に対応する緑サブ画素の輝度の増加を開始する。すべての画素の輝度が「１」になると、画素によって表示される色は白になる。【０１１０】
なお、上述した説明では、画素によって表示される色は赤を介して変化したが、本実施形態はこれに限定されない。画素によって表示される色は、赤以外の他の色、例えば、緑または青を介して変化してもよい。【０１１１】
また、上述した説明では、４つのサブ画素の色はＲＧＢＹｅであったが、本実施形態はこれに限定されない。サブ画素の色は任意の色を用いてもよい。ただし、４つのサブ画素の色がＲＧＢを含むことが好ましい。これは、一般に、ＲＧＢは図６に示したＸＹＺ表色系色度図のスペクトル軌跡内の比較的外側に位置し、色表現範囲を広くしやすいからである。また、ＲＧＢにさらに加える色はＹｅであることが好ましい。これは、ＲＧＢの補色であるＹｅＣＭのいずれかを加えることにより色再現性を有効に広くすることができ、また、ＹｅＣＭのうちＹｅが最も高輝度かつ高彩度の画素設計が可能な色だからである。【０１１２】
（実施形態３）
なお、実施形態１の表示装置では各画素は５つのサブ画素を有しており、実施形態２の表示装置では各画素は４つのサブ画素を有していたが、本発明の表示装置はこれに限定されない。【０１１３】
本実施形態の表示装置では各画素は６つのサブ画素を有している。６つのサブ画素は、赤、黄、緑、シアン、青およびマゼンタサブ画素である。本実施形態の表示装置は、１つの画素あたりのサブ画素の数が異なる点を除いて、図１および図９を参照して説明した実施形態１の表示装置と同様の構成を有しており、冗長さを避けるために、重複する説明を省略する。【０１１４】
図１２は、本実施形態の表示装置１００における６つのサブ画素の各色についてのａ*およびｂ*をプロットしたＬ*ａ*ｂ*表色系色度図である。図１２は、そのサブ画素のみによって表示される色の色相角を示している。図１２に示すように、Ｒは４３°、Ｙｅは９５°、Ｇは１４５°、Ｃは２４１°、Ｂは２９２°およびＭは３２６°である。ここで、図１２に示した色は、図３および図１１に示した色と同様に表記されているが、図１２に示した色相角は、図３および図１１に示した色相角とわずかに異なる。これは、サブ画素の数や色によって効率の良い色再現性を実現するための画素設計が異なるためである。ここで、Ｒの色相（Ｒ）を基準として他の色相との近さを検討すると、（Ｒ）に最も近い色相は（Ｙｅ）（色相角の差５２°）であり、次に近い色相は（Ｍ）（色相角の差７７°）であり、次に近い色相は（Ｇ）（色相角の差１０２°）であり、次に近い色相は（Ｂ）（色相角の差１１１°）であり、最も遠い色相は（Ｃ）（色相角の差１６２°）である。【０１１５】
以下に、画素によって表示される色が黒から赤を経て白に変化する場合を説明する。【０１１６】
本実施形態の表示装置１００では、赤サブ画素の輝度が所定の輝度に達したら、（Ｒ）に隣接する２つの色相（すなわち、（Ｙｅ）および（Ｍ））に対応する黄およびマゼンタサブ画素の輝度の増加を開始する。次いで、マゼンタサブ画素の輝度が所定の輝度に達したら、Ｌ*ａ*ｂ*表色系色度図において（Ｒ）に対して（Ｍ）と同じ側にあり、かつ、（Ｒ）から（Ｍ）の次に近い（Ｂ）に対応する青サブ画素の輝度の増加を開始する。【０１１７】
次いで、黄サブ画素の輝度が所定の輝度に達したら、Ｌ*ａ*ｂ*表色系色度図において（Ｒ）に対して（Ｙｅ）と同じ側にあり、かつ、（Ｒ）から（Ｙｅ）の次に近い（Ｇ）に対応する緑サブ画素の輝度の増加を開始する。緑サブ画素の輝度が増加する割合よりも青サブ画素の輝度が増加する割合の方が大きいため、緑サブ画素よりも青サブ画素の方が早く所定の輝度に達する。青サブ画素が所定の輝度に達すると、シアンサブ画素の輝度の増加を開始する。すべての画素の輝度が「１」になると、画素によって表示される色は白になる。【０１１８】
なお、上述した説明では、画素によって表示される色は赤を介して変化したが、本実施形態はこれに限定されない。画素によって表示される色は、赤以外の他の色、例えば、緑または青を介して変化してもよい。【０１１９】
画素によって表示される色が、黒から緑を経て白に変化する場合、まず、緑サブ画素の輝度の増加を開始し、緑サブ画素の輝度が所定の輝度に達すると、黄およびシアンサブ画素の輝度の増加を開始する。黄サブ画素の輝度が所定の輝度に達すると、赤サブ画素の輝度の増加を開始し、シアンサブ画素の輝度が所定の輝度に達すると、青サブ画素の輝度の増加を開始する。赤サブ画素および青サブ画素の輝度が所定の輝度に達すると、マゼンタサブ画素の輝度の増加を開始する。【０１２０】
また、画素によって表示される色が、黒から青を経て白に変化する場合、まず、青サブ画素の輝度の増加を開始し、青サブ画素の輝度が所定の輝度に達すると、マゼンタおよびシアンサブ画素の輝度の増加を開始する。マゼンタサブ画素の輝度が所定の輝度に達すると、赤サブ画素の輝度の増加を開始し、シアンサブ画素の輝度が所定の輝度に達すると、緑サブ画素の輝度の増加を開始する。赤サブ画素の輝度が所定の輝度に達すると、黄サブ画素の輝度の増加を開始する。【０１２１】
（実施形態４）
以下に、図面を参照しながら、本発明の表示装置の第４の実施形態を説明する。【０１２２】
本実施形態の表示装置１００は、図１および図９を参照して説明した実施形態１の表示装置と同様の構成を有しており、冗長さを避けるために、重複する説明を省略する。【０１２３】
実施形態１〜３の表示装置では、画素によって表示される色を赤、緑および青のいずれかを介して変化させたが、本発明の表示装置はこれに限定されない。本実施形態の表示装置では、画素によって表示される色が、赤、青および緑とは補色の関係にある黄、シアンおよびマゼンタのいずれかを介して変化する点で実施形態１〜３の表示装置とは異なる。ここでは、画素によって表示される色が黄である場合について説明する。【０１２４】
図１３は、本実施形態の表示装置１００における５つのサブ画素の各色についてのａ*およびｂ*をプロットしたＬ*ａ*ｂ*表色系色度図である。図１３は、そのサブ画素のみによって表示される色の色相角を示している。図１３に示すように、Ｒは３９°、Ｙｅは９４°、Ｇは１４２°、Ｃは２４５°およびＢは３０１°である。ここで、Ｙｅの色相（Ｙｅ）を基準として他の色相との近さを検討すると、（Ｙｅ）に最も近い色相は（Ｇ）（色相角の差４８°）であり、次に近い色相は（Ｒ）（色相角の差５５°）であり、次に近い色相は（Ｃ）（色相角の差１５１°）であり、最も遠い色相は（Ｂ）（色相角の差１５３°）である。ここで、（Ｇ）は（Ｙｅ）に対して反時計回りの方向にあり、（Ｒ）は（Ｙｅ）に対して時計回りの方向にある。すなわち、Ｌ*ａ*ｂ*表色系色度図において（Ｒ）は（Ｇ）に対して（Ｙｅ）とは反対側にある。【０１２５】
以下に、図１４を参照して、画素によって表示される色が黒から黄を経て白に変化する場合を説明する。図１４は、本実施形態の表示装置１００における各サブ画素の輝度の変化と色表現範囲との関係を説明するための模式図である。図１４（ａ）は、画素の色表現範囲を示す色調図であり、図１４（ｂ）は、画素によって表示される色の変化を示す図であり、図１４（ｃ）は、黄、赤、緑、シアンおよび青サブ画素の輝度の変化を示す図である。【０１２６】
図１４（ｃ）に示すように、はじめ、すべてのサブ画素の輝度が「０」であり、画素によって表示される色は黒である。まず、黄サブ画素の輝度の増加を開始する。黄サブ画素の輝度が増加するほど、画素の明度および彩度は増加する。黄サブ画素の輝度は、「１」に達した後、「１」に保持される。次いで、赤および緑サブ画素の輝度の増加を開始する。赤および緑サブ画素の輝度は同じ割合で増加するが、色相（Ｙｅ）は変化しない。赤および緑サブ画素の輝度の増加により、画素の明度および彩度は増加する。赤および緑サブ画素の輝度が増加して、黄、赤および緑サブ画素の輝度が「１」に達したとき、画素によって表示される色は、色相（Ｙｅ）における最明色となる。【０１２７】
赤および緑サブ画素の輝度は、「１」に達した後、「１」に保持される。赤および緑サブ画素の輝度が「１」に達すると、シアンおよび青サブ画素の輝度の増加を開始する。シアンおよび青サブ画素の輝度は同じ割合で増加するが、色相（Ｙｅ）は変化しない。シアンおよび青サブ画素の輝度は同時に「１」に達すると、すべてのサブ画素の輝度が「１」となり、画素によって表示される色は白となる。【０１２８】
上述したように各サブ画素の輝度を変化させることにより、画素によって表示される色は、図１４（ｂ）に示すように黒から色相（Ｙｅ）における最明色を経て白に変化する。【０１２９】
ここで、図１４（ａ）の曲線Ｆ１４は、各サブ画素の輝度を図１４（ｃ）に示したように変化させた場合に画素によって表示される色の彩度および明度の変化の軌跡を示している。図１４（ａ）において、Ｐｏは、ポインターガマットの色相（Ｙｅ）における部分を示している。表示装置１００の色表現範囲は、ポインターガマットの色相（Ｙｅ）における部分をほぼカバーしているので、表示装置１００は、自然界に存在する物体の物体色を可能な限り多く表現（表示）することができる。【０１３０】
ここで、再び図１３および図１４を参照して、サブ画素の輝度の増加を開始する順番について説明する。図１４を参照して説明したように、本実施形態の表示装置１００では、画素の明度を増加させるために、黄サブ画素の輝度の増加を開始した後、赤および緑サブ画素の輝度の増加を開始し、その後、シアンおよび青サブ画素の輝度の増加を開始している。【０１３１】
図１３を参照して上述したように、この順番は、色相（Ｙｅ）に時計回りおよび反時計回りに近い２つの色相に対応するサブ画素の順番である。これは、以下のように考えられる。黄サブ画素の輝度が「１」に達しただけでは色相（Ｙｅ）における最明色とはならない。色相（Ｙｅ）における最明色となるためには、黄サブ画素に加えて、（Ｙｅ）に隣接する（Ｒ）および（Ｇ）に対応する赤および緑サブ画素の輝度も増加させることが必要である。黄サブ画素によって表現される黄は、赤および緑サブ画素によって表現される黄よりも彩度が高いので、黄サブ画素の輝度の増加を先に開始し、黄サブ画素の輝度が「１」に達した後に、赤および緑サブ画素の輝度の増加を開始したほうが、画素によって表示される色の彩度を高くすることができる。このように、本実施形態の表示装置１００によれば、各明度において色相（Ｙｅ）の彩度を高くすることができ、色表現範囲を広くすることができる。【０１３２】
なお、本実施形態の表示装置１００でも、図１４（ａ）に示した曲線Ｆ１４上の各点に対応する色を表示するためのサブ画素の輝度の組み合わせが、図１４を参照して説明したようにサブ画素の輝度を設定するアルゴリズムに基づいて設定されている。言い換えると、図１４（ｃ）は、単に、サブ画素を点灯させる（輝度の増加を開始する）タイミングを示しているだけでなく、曲線Ｆ１４上の各点に対応した色を表示するためのサブ画素の輝度の組み合わせそのものを示している。なお、各サブ画素の輝度は、上述したアルゴリズムに基づいて予め用意されていてもよく、あるいは、演算によって生成されてもよい。【０１３３】
ここで、本実施形態の表示装置１００と比較例の表示装置とを比較して、本実施形態の表示装置の利点を説明する。比較例の表示装置でも、本実施形態の表示装置１００と同様に、各画素は、５つのサブ画素、すなわち、黄、赤、緑、シアンおよび青サブ画素を有している。【０１３４】
図２６を参照して上述したように、従来の表示装置では、黄を表示するために、赤および緑サブ画素の輝度の増加を同時に開始し、赤および緑サブ画素の輝度は同じ割合で増加する。比較例の表示装置では、黄、赤および緑サブ画素の輝度の増加を同時に開始し、黄、赤および緑サブ画素の輝度は同じ割合で増加する。図１５は、比較例の表示装置における各サブ画素の輝度の変化と色表現範囲との関係を説明するための模式図である。図１５（ａ）は、画素の色表現範囲を示す色調図であり、図１５（ｂ）は、画素によって表示される色の変化を示す図であり、図１５（ｃ）は、黄、赤、緑、シアンおよび青サブ画素の輝度の変化を示す図である。【０１３５】
比較例の表示装置でも、はじめ、すべてのサブ画素、すなわち、黄、赤、緑、シアンおよび青サブ画素の輝度が「０」であり、画素によって表示される色は黒である。比較例の表示装置では、まず、黄、赤および緑サブ画素の輝度の増加を開始する。また、比較例の表示装置では、黄、赤および緑サブ画素の輝度は同じ割合で増加する。黄、赤および緑サブ画素の輝度が増加することにより、画素によって表示される色の彩度および明度は増加する。【０１３６】
黄、赤および緑サブ画素の輝度が「１」に達したとき、画素によって表示される色は色相（Ｙｅ）における最明色となる。比較例の表示装置では、黄、赤および緑サブ画素の輝度が「１」に達すると、シアンおよび青サブ画素の輝度の増加を同時に開始する。比較例の表示装置でも、すべてのサブ画素の輝度が「１」となると、画素によって表示される色は白となる。【０１３７】
比較例の表示装置においても、図１５（ｃ）に示すように各サブ画素の輝度を変化させることにより、画素によって表示される色は、図１５（ｂ）に示すように黒から黄を経て白に変化する。しかしながら、比較例の表示装置では、図１５（ａ）に示すように、色表現範囲は、ポインターガマットの色相（Ｙｅ）における部分を十分にカバーしない。したがって、比較例の表示装置では、自然界に存在する物体の物体色を十分に表現（表示）することができない。【０１３８】
ここで、図１４（ｃ）および図１５（ｃ）を比較すると、本実施形態の表示装置１００および比較例の表示装置のいずれも、画素によって表示される色が最明色から白に変化するまでのサブ画素の輝度の変化は同じであるが、黒から色相（Ｙｅ）における最明色に変化するまでのサブ画素の輝度の変化が異なる。具体的には、本実施形態の表示装置１００では、まず、黄サブ画素の輝度を増加し、黄サブ画素の輝度が「１」に達した後、赤および緑サブ画素の輝度の増加を開始するのに対して、比較例の表示装置では、黄、赤および緑サブ画素の輝度の増加を同時に開始する。その結果、図１４（ａ）の曲線Ｆ１４は最明色における明度より低い明度において彩度が比較的高いのに対して、図１５（ａ）の曲線Ｆ１５は最明色の明度より低い明度において彩度が比較的低くなっている。これは、通常の画素設計では赤および緑サブ画素によって表示される黄よりも黄サブ画素によって表示される黄のほうが高彩度に設計されるため、黄サブ画素を単独で表示する時の彩度の方が、同じ輝度を黄と赤と緑サブ画素を用いて表示する時に比べ高彩度で表示できるからである。【０１３９】
つまり、本実施形態の表示装置１００は、サブ画素の輝度を上述したように変化させることにより、比較例の表示装置では表現できない彩度の高い色を表現することができる。したがって、本実施形態の表示装置１００によれば、画素によって表示される色の各明度における彩度を大きくすることができ、広い色表現範囲で表示を行うことができる。【０１４０】
図１６は、本実施形態の表示装置１００と従来の表示装置５００との違いを説明するための模式的な図である。ここでは、入力信号として、ＲＧＢの３原色信号を用いている。または、入力信号は、一般にカラーテレビに用いられているＹＣｒＣｂ信号のように、ＲＧＢの３原色信号に変換可能な信号であってもよい。従来の表示装置５００は、表示パネル６００と、画像処理回路７００とを備える。【０１４１】
図１６に示すように、本実施形態の表示装置１００および従来の表示装置５００の両方に、同じ入力信号が入力される。この入力信号は、多色表示パネル２００および表示パネル６００の全体が黒から赤を経て白まで変化するグラデーション表示を行うような信号である。このような入力信号を用いることにより、多原色表示装置が本実施形態の表示装置１００であるか容易に確認することができる。【０１４２】
なお、図１６に示すように、多色表示パネル２００において、黄、赤、緑、シアンおよび青サブ画素は短冊状の形状を有しており、ここでは、黄、赤、緑、シアンおよび青サブ画素の順番にストライプ状に配列されている。一方、表示パネル６００において、赤、緑および青サブ画素も短冊状の形状を有しており、ここでは、赤、緑および青サブ画素の順番にストライプ状に配列されている。【０１４３】
従来の表示装置５００において、表示パネル６００の部分Ｋは黒を表示する。部分Ｋでは、すべてのサブ画素の輝度は「０」である。表示パネル６００の部分Ｓは色相（Ｙｅ）における最明色を表示する。部分Ｓでは、赤および緑サブ画素の輝度が「１」であるのに対して、青サブ画素の輝度は「０」である。また、表示パネル６００の部分Ｗは白を表示する。部分Ｗにおいて、すべてのサブ画素の輝度は「１」である。表示パネル６００の部分Ｋと部分Ｓとの間では、部分Ｋから部分Ｓに進むにしたがって赤および緑サブ画素の輝度が大きくなり、画素の明度が高くなっている。【０１４４】
一方、本実施形態の表示装置１００では、多色表示パネル２００の部分Ｋは黒を表示する。したがって、部分Ｋにおいてすべてのサブ画素の輝度は「０」である。多色表示パネル２００の部分Ｓは最明色を表示する。部分Ｓでは、黄、赤および緑サブ画素の輝度が「１」であるのに対して、シアンおよび青サブ画素の輝度は「０」である。また、多色表示パネル２００の部分Ｗは白を表示する。部分Ｗにおいて、すべてのサブ画素の輝度は「１」である。多色表示パネル２００の部分Ｋと部分Ｓとの間では、部分Ｋから部分Ｓに進むにしたがって、まず、黄サブ画素の輝度が増加し、黄サブ画素の輝度が「１」になると、赤および緑サブ画素の輝度が増加する。これにより、画素の明度が高くなっている。また、多色表示パネル２００の部分Ｓと部分Ｗとの間では、部分Ｓから部分Ｗに進むにしたがって、シアンおよび青サブ画素の輝度が大きくなる。これにより、画素の明度が高くなっている。【０１４５】
なお、これらのサブ画素の輝度は、グラデーション表示を行う多色表示パネル２００および表示パネル６００の画素をルーペなどで拡大して観察することによってチェックすることができる。【０１４６】
なお、上述した説明では、黄サブ画素の輝度が「１」に達した後、赤サブ画素および緑サブ画素の輝度を同じ割合で増加させたが、本実施形態はこれに限定されない。赤サブ画素の割合と緑サブ画素の割合は異なっていてもよい。【０１４７】
緑サブ画素の輝度の増加の割合を赤サブ画素の輝度の増加の割合よりも大きくしてもよい。以下、図１７を参照して説明する。【０１４８】
はじめ、すべてのサブ画素、すなわち、黄、赤、緑、シアンおよび青サブ画素の輝度が「０」であり、画素によって表示される色は黒である。まず、黄サブ画素の輝度の増加を開始する。黄サブ画素の輝度が増加するほど、画素の明度は増加する。黄サブ画素の輝度は、「１」に達した後、「１」に保持される。黄サブ画素の輝度が「１」に達すると、画素の明度をさらに増加させるために、赤および緑サブ画素の輝度の増加を開始する。ここで、赤および緑サブ画素の輝度が異なる割合で増加するが、色相（Ｙｅ）は変化しない。【０１４９】
図１４では、赤および緑サブ画素の輝度を同じ割合で増加させたが、図１７では、赤および緑サブ画素の輝度が異なる割合で増加する。具体的には、赤サブ画素の輝度の増加の割合は、緑サブ画素の輝度の増加の割合よりも大きい。これは、赤および緑サブ画素の輝度を同じ割合で増加させることによって表示される黄の色相が黄サブ画素によって表示される黄の色相よりも緑に近いような画素設計になっているからであり、色相（Ｙｅ）を変化させないためには、赤サブ画素の輝度の増加の割合を、緑サブ画素の輝度の増加の割合よりも大きくすることが必要だからである。したがって、赤サブ画素の輝度は緑サブ画素の輝度よりも先に「１」に達する。【０１５０】
赤サブ画素の輝度が「１」に達したとき、画素によって表示される色は、色相（Ｙｅ）の最明色となる。なお、図１４では、最明色のとき、黄、赤および緑サブ画素の輝度は「１」であるが、ここでは、最明色のとき、黄および赤サブ画素の輝度は「１」であるが、緑サブ画素の輝度は「１」に達していない。赤サブ画素の輝度が「１」に達すると、青サブ画素の輝度の増加を開始する。青サブ画素の輝度の割合は、緑および青サブ画素の輝度の増加に伴って色相（Ｙｅ）が変化しないように設定されている。【０１５１】
緑サブ画素の輝度は、「１」に達した後、「１」に保持される。緑サブ画素の輝度が「１」に達すると、シアンサブ画素の輝度の増加を開始する。このとき、シアンサブ画素とともに青サブ画素の輝度は増加する。シアンサブ画素の輝度の増加の割合は、青およびシアンサブ画素の輝度の増加に伴い色相（Ｙｅ）を変化させないように設定されている。シアンおよび青サブ画素の輝度は同時に「１」に達し、すべてのサブ画素の輝度が「１」になると、画素によって表示される色は白となる。【０１５２】
あるいは、緑サブ画素の輝度の増加の割合を赤サブ画素の輝度の増加の割合よりも大きくてもよい。以下、図１８を参照してこの場合を説明する。【０１５３】
はじめ、すべてのサブ画素の輝度が「０」であり、画素によって表示される色は黒である。まず、黄サブ画素の輝度の増加を開始する。黄サブ画素の輝度が増加するほど、画素の明度は増加する。黄サブ画素の輝度は、「１」に達した後、「１」に保持される。黄サブ画素の輝度が「１」に達すると、色相（Ｙｅ）における明度をさらに増加させるために、赤および緑サブ画素の輝度の増加を開始する。ここで、赤および緑サブ画素の輝度が異なる割合で増加するが、色相（Ｙｅ）は変化しない。【０１５４】
図１４では、赤および緑サブ画素の輝度が同じ割合で増加していたが、図１８では、赤および緑サブ画素の輝度が異なる割合で増加する。具体的には、緑サブ画素の輝度の増加割合は、赤サブ画素の輝度の増加の割合よりも大きい。これは、赤および緑サブ画素の輝度を同じ割合で増加させることによって表示される黄の色相が黄サブ画素によって表示される黄の色相よりも赤に近いような画素設計になっているからであり、色相（Ｙｅ）を変化させないためには、緑サブ画素の輝度の増加の割合を、赤サブ画素の輝度の増加の割合よりも大きくすることが必要だからである。したがって、緑サブ画素の輝度は赤サブ画素の輝度よりも先に「１」に達する。【０１５５】
緑サブ画素の輝度が「１」に達したとき、画素によって表示される色は、色相（Ｙｅ）の最明色となる。なお、図１４では、最明色のとき、黄、赤および緑サブ画素の輝度は「１」であるが、ここでは、最明色のとき、黄および緑サブ画素の輝度は「１」であるが、赤サブ画素の輝度は「１」に達していない。緑サブ画素の輝度は、「１」に達した後、「１」に保持される。緑サブ画素の輝度が「１」に達すると、シアンサブ画素の輝度の増加を開始する。このとき、シアンサブ画素とともに赤サブ画素の輝度は増加する。シアンサブ画素の輝度の増加の割合は、赤およびシアンサブ画素の輝度の増加に伴い色相（Ｙｅ）を変化させないように設定されている。【０１５６】
次いで、赤サブ画素の輝度は、「１」に達した後、「１」に保持される。赤サブ画素の輝度が「１」に達すると、青サブ画素の輝度の増加を開始する。このとき、青サブ画素とともにシアンサブ画素の輝度は増加する。青サブ画素の輝度の増加の割合は、シアンおよび青サブ画素の輝度の増加に伴い色相（Ｙｅ）を変化させないように設定されている。シアンおよび青サブ画素の輝度は同時に「１」に達し、すべてのサブ画素の輝度が「１」であると、画素によって表示される色は白となる。このように、赤サブ画素および青サブ画素の輝度の増加の割合は同じでなくてもよい。【０１５７】
なお、上述した説明では、画素によって表示される色は黄を介して変化したが、本実施形態はこれに限定されない。画素によって表示される色はマゼンタまたはシアンを介して変化してもよい。【０１５８】
画素によって表示される色が、黒から緑を経てマゼンタに変化する場合、まず、赤および青サブ画素の輝度の増加を開始する。赤サブ画素の輝度が所定の輝度に達すると、黄サブ画素の輝度の増加を開始し、青サブ画の輝度が所定の輝度に達すると、シアンサブ画素の輝度の増加を開始する。黄およびシアンサブ画素の輝度が所定の輝度に達すると、緑サブ画素の輝度の増加を開始する。【０１５９】
また、画素によって表示される色が、黒からシアンを経て白に変化する場合、まず、シアンサブ画素の輝度の増加を開始し、シアンサブ画素の輝度が所定の輝度に達すると、緑および青サブ画素の輝度の増加を開始する。緑サブ画素の輝度が所定の輝度に達すると、黄サブ画素の輝度の増加を開始し、青サブ画素の輝度が所定の輝度に達すると、赤サブ画素の輝度の増加を開始する。【０１６０】
（実施形態５）
なお、実施形態４の表示装置では、各画素は５つのサブ画素を有していたが、サブ画素の数は５つに限定されない。本実施形態の表示装置では、各画素は４つのサブ画素を有している。４つのサブ画素は、黄、赤、緑および青サブ画素である。【０１６１】
以下に、図面を参照しながら、本発明の表示装置の第５の実施形態を説明する。【０１６２】
本実施形態の表示装置は、１つの画素あたりのサブ画素の数が異なる点を除いて、図１および図９を参照して説明した実施形態４の表示装置と同様の構成を有しており、冗長さを避けるために、重複する説明を省略する。【０１６３】
図１９は、本実施形態の表示装置１００における４つのサブ画素の各色についてのａ*およびｂ*をプロットしたＬ*ａ*ｂ*表色系色度図である。図１９は、そのサブ画素のみによって表示される色の色相角を示している。図１９に示すように、Ｒは４２°、Ｙｅは９１°、Ｇは１４３°およびＢは２７９°である。【０１６４】
ここでも、（Ｙｅ）を基準として他の色相との近さを検討すると、（Ｙｅ）に最も近い色相は（Ｒ）（色相角の差４９°）であり、次に近い色相は（Ｇ）（色相角の差５２°）であり、最も遠い色相は（Ｂ）（色相角の差１７２°）である。【０１６５】
以下に、画素によって表示される色が黒から黄を経て白に変化する場合を説明する。【０１６６】
本実施形態の表示装置１００では、黄サブ画素の輝度が「１」に達したら、赤および緑サブ画素の輝度の増加を開始する。赤サブ画素に対応する色相（Ｒ）は、色相（Ｙｅ）に対して時計回りに最も近い色相であり、緑サブ画素に対応する色相（Ｇ）は、色相（Ｙｅ）に対して反時計回りに最も近い色相である。【０１６７】
以下に、画素によって表示される色が黒から黄を経て白に変化する場合を説明する。【０１６８】
まず、黄サブ画素の輝度の増加を開始する。黄サブ画素の輝度が増加するほど、画素の明度は増加する。黄サブ画素の輝度は、「１」に達した後、「１」に保持される。次いで、画素の明度をさらに増加させるために、赤および緑サブ画素の輝度の増加を開始する。赤および緑サブ画素の輝度は同じ割合で増加するが、色相（Ｙｅ）は変化しない。赤および緑サブ画素の輝度が増加して、黄、赤および緑サブ画素の輝度が「１」となると、画素によって表示される色は、色相（Ｙｅ）における最明色となる。赤および緑サブ画素の輝度が「１」に達すると、青サブ画素の輝度の増加を開始する。色相（Ｂ）は色相（Ｙｅ）との色相角の差がほぼ１８０°であり、青サブ画素のみを増加させても、色相（Ｙｅ）はほとんど変化しない。【０１６９】
なお、上述した説明では、画素によって表示される色は黄を介して変化したが、本実施形態はこれに限定されない。画素によって表示される色はマゼンタまたはシアンを介して変化してもよい。【０１７０】
また、上述した説明では、４つのサブ画素の色はＲＧＢＹｅであったが、本実施形態はこれに限定されない。サブ画素の色は任意の色を用いてもよい。ただし、４つのサブ画素の色がＲＧＢを含むことが好ましい。これは、一般に、ＲＧＢは図６に示したＸＹＺ表色系色度図のスペクトル軌跡内の比較的外側に位置し、色表現範囲を広くしやすいからである。また、ＲＧＢにさらに加える色はＹｅであることが好ましい。これは、ＲＧＢの補色であるＹｅＣＭのいずれかを加えることにより色再現性を有効に広くすることができ、また、ＹｅＣＭのうちＹｅが高輝度かつ高彩度の画素設計が可能だからである。【０１７１】
（実施形態６）
なお、実施形態４の表示装置では各画素は５つのサブ画素を有しており、実施形態５の表示装置では各画素は４つのサブ画素を有していたが、本発明の表示装置はこれに限定されない。【０１７２】
本実施形態の表示装置では、各画素は６つのサブ画素を有している。６つのサブ画素は、黄、赤、緑、シアン、青およびマゼンタサブ画素である。本実施形態の表示装置は、１つの画素あたりのサブ画素の数が異なる点を除いて、図１および図９を参照して説明した実施形態４および５の表示装置と同様の構成を有しており、冗長さを避けるために、重複する説明を省略する。【０１７３】
図２０は、本実施形態の表示装置１００における６つのサブ画素の各色についてのａ*およびｂ*をプロットしたＬ*ａ*ｂ*表色系色度図である。図２０は、そのサブ画素のみによって表示される色の色相角を示している。図２０に示すように、Ｒは４３°、Ｙｅは９５°、Ｇは１４５°、Ｃは２４１°、Ｂは２９２°およびＭは３２６°である。ここでも、Ｙｅの色相（Ｙｅ）を基準として他の色相との近さを検討すると、（Ｙｅ）に最も近い色相は（Ｇ）（色相角の差５０°）であり、次に近い色相は（Ｒ）（色相角の差５２°）であり、次に近い色相は（Ｍ）（色相角の差１２９°）であり、次に近い色相は（Ｃ）（色相角の差１４６°）であり、最も遠い色相は（Ｂ）（色相角の差１６３°）である。【０１７４】
以下に、図２０および図２１を参照して、画素によって表示される色が黒から黄を経て白に変化する場合を説明する。【０１７５】
図２１は、本実施形態の表示装置１００における各サブ画素の輝度の変化と色表現範囲との関係を説明するための模式図であり、（ａ）は、画素の色表現範囲を示す色調図であり、（ｂ）は、画素によって表示される色の変化を示す図であり、（ｃ）は、黄、赤、緑、シアン、マゼンタおよび青サブ画素の輝度の変化を示す図である。【０１７６】
はじめ、すべてのサブ画素の輝度が「０」であり、画素によって表示される色は黒である。まず、黄サブ画素の輝度の増加を開始する。黄サブ画素の輝度が増加するほど、画素の彩度および明度は増加する。黄サブ画素の輝度は、「１」に達した後、「１」に保持される。黄サブ画素の輝度が「１」に達すると、色相（Ｙｅ）における明度をさらに増加させるために、赤および緑サブ画素の輝度の増加を開始する。なお、Ｌ*ａ*ｂ*表色系色度図において、赤および緑サブ画素に対応する（Ｒ）および（Ｇ）は（Ｙｅ）の両隣にある。【０１７７】
赤サブ画素の輝度の増加の割合は、緑サブ画素の輝度の増加の割合よりも大きく、それらの割合は、赤および緑サブ画素の輝度の増加に伴い色相（Ｙｅ）が変化しないように設定されている。赤サブ画素の輝度の増加の割合は、緑サブ画素の輝度の増加の割合よりも大きいので、赤サブ画素の輝度は、緑サブ画素の輝度よりも先に「１」に達する。黄および赤サブ画素の輝度が「１」に達したとき、画素によって表示される色は、色相（Ｙｅ）における最明色となる。【０１７８】
赤サブ画素の輝度が「１」に達したら、マゼンタサブ画素の輝度の増加を開始する。マゼンタサブ画素に対応する色相（Ｍ）は、色相（Ｙｅ）に対して時計回りにおいて色相（Ｒ）の次に近い色相である。マゼンタサブ画素の輝度の割合は、緑およびマゼンタサブ画素の輝度の増加に伴い色相（Ｙｅ）が変化しないように設定されている。【０１７９】
緑サブ画素とともにマゼンタサブ画素の輝度は増加するが、緑サブ画素の輝度は、マゼンタサブ画素の輝度よりも先に「１」に達する。緑サブ画素の輝度が「１」に達したら、シアンサブ画素の輝度の増加を開始する。シアンサブ画素に対応する色相（Ｃ）は、色相（Ｙｅ）に対して反時計回り方向において色相（Ｇ）の次に近い色相である。シアンサブ画素の輝度の割合は、マゼンタおよびシアンサブ画素の輝度の増加に伴い色相（Ｙｅ）が変化しないように設定されている。【０１８０】
マゼンタサブ画素とともにシアンサブ画素の輝度は増加するが、マゼンタサブ画素の輝度は、シアンサブ画素の輝度よりも先に「１」に達する。マゼンタサブ画素の輝度が所定の輝度に達すると、青サブ画素の輝度の増加を開始する。シアンサブ画素と青サブ画素と輝度は同時に「１」に達する。青サブ画素の輝度の割合は、シアンおよび青サブ画素の輝度の増加に伴い色相（Ｙｅ）が変化しないように設定されている。すべての画素の輝度が「１」になると、画素によって表示される色は白になる。【０１８１】
なお、上述した説明では、図２０に示すように、色相（Ｂ）は、色相（Ｙｅ）に対して、時計回り方向、すなわち、（Ｒ）および（Ｂ）と同じ側にあったが、本実施形態はこれに限定されない。色相（Ｂ）が、色相（Ｙｅ）に対して、反時計回り方向、すなわち、（Ｇ）および（Ｃ）と同じ側とあってもよい。この場合、図２２に示すように、シアンサブ画素の輝度が「１」に達した後に、青サブ画素の輝度の増加を開始してもよい。【０１８２】
あるいは、上述した説明では、赤サブ画素の輝度の増加の割合は緑サブ画素の輝度の増加の割合よりも大きかったが、本実施形態はこれに限定されない。図２３に示すように、緑サブ画素の輝度の増加の割合は赤サブ画素の輝度の増加の割合よりも大きくてもよい。この場合、黄および緑サブ画素の輝度が「１」に達したとき、画素によって表示される色は色相（Ｙｅ）における最明色となる。なお、緑サブ画素の輝度が「１」に達したら、シアンサブ画素の輝度の増加を開始し、赤いサブ画素の輝度が「１」に達したら、マゼンタサブ画素の輝度の増加を開始し、マゼンタサブ画素の輝度が「１」に達したら、青サブ画素の輝度の増加を開始する点は、図２１を参照して上述した説明と同様である。【０１８３】
また、図２３でも、色相（Ｂ）は、色相（Ｙｅ）に対して、時計回り方向、すなわち、（Ｒ）および（Ｍ）と同じ側にある場合を説明したが、本実施形態はこれに限定されない。色相（Ｂ）が、色相（Ｙｅ）に対して、反時計回り方向、すなわち、（Ｇ）および（Ｃ）と同じ側とあってもよい。この場合、図２４に示すように、シアンサブ画素の輝度が「１」に達した後に、青サブ画素の輝度の増加を開始してもよい。【０１８４】
なお、上述した説明では、画素によって表示される色は黄を介して変化したが、本実施形態はこれに限定されない。画素によって表示される色はマゼンタまたはシアンを介して変化してもよい。【０１８５】
画素によって表示される色が、黒から緑を経てマゼンタに変化する場合、まず、マゼンタサブ画素の輝度の増加を開始し、マゼンタサブ画素の輝度が所定の輝度に達すると、赤および青サブ画素の輝度の増加を開始する。赤サブ画素の輝度が所定の輝度に達すると、黄サブ画素の輝度の増加を開始し、青サブ画の輝度が所定の輝度に達すると、シアンサブ画素の輝度の増加を開始する。黄およびシアンサブ画素の輝度が所定の輝度に達すると、緑サブ画素の輝度の増加を開始する。【０１８６】
また、画素によって表示される色が、黒からシアンを経て白に変化する場合、まず、シアンサブ画素の輝度の増加を開始し、シアンサブ画素の輝度が所定の輝度に達すると、緑および青サブ画素の輝度の増加を開始する。緑サブ画素の輝度が所定の輝度に達すると、黄サブ画素の輝度の増加を開始し、青サブ画素の輝度が所定の輝度に達すると、マゼンタサブ画素の輝度の増加を開始する。マゼンタサブ画素の輝度が所定の輝度に達すると、赤サブ画素の輝度の増加を開始する。【０１８７】
また、実施形態１〜３の表示装置１００では、ＲＧＢのいずれかの色に対応する各サブ画素の輝度の組み合わせを設定し、実施形態４〜６の表示装置１００では、ＹｅＣＭのいずれかの色に対応する各サブ画素の輝度の組み合わせを設定したが、同一の表示装置が、ＲＧＢのいずれかの色を表示する場合には、実施形態１〜３の表示装置１００と同様にＲＧＢのいずれかの色に対応する各サブ画素の輝度の組み合わせを設定し、ＹｅＣＭのいずれかの色を表示する場合には、実施形態４〜６の表示装置１００と同様にＹｅＣＭのいずれかの色に対応する各サブ画素の輝度の組み合わせを設定してもよい。【０１８８】
また、上述した実施形態１〜６の表示装置１００では、各画素が複数のサブ画素を有する場合を説明したが、本発明はこれに限定されない。【０１８９】
本実施形態の表示装置１００は、フィールドシーケンシャル方式で駆動されてもよい。フィールドシーケンシャル方式では、１フレームを各原色に対応した複数のサブフレームで構成することによって、カラー表示が行われる。各原色に対応したサブフレームにおける輝度（表示階調）を図４（ｃ）などに示したサブ画素の輝度の組み合わせに対応するように設定することによって、同様の効果を得ることができる。この場合、多色表示パネル２００は、出射波長の異なる４つ以上の光源を有しており、１フィールド内において各光源は順番に点灯する。光源は、蛍光管であってもＬＥＤであってもよい。【０１９０】
また、上述した実施形態１〜６の表示装置１００では、多色表示パネルとして液晶パネルを説明してきたが、本実施形態はこれに限定されない。多色表示パネルは、ＣＲＴ、プラズマ表示パネル（ＰＤＰ）、ＳＥＤ表示パネル、液晶プロジェクタなどの多色表示が可能な任意の表示装置であってもよい。【０１９１】
なお、上述した実施形態１〜６の表示装置１００の画像処理回路３００が備えている構成要素は、ハードウェアによって実現できるほか、これらの一部または全部をソフトウェアによって実現することもできる。これらの構成要素をソフトウェアによって実現する場合、コンピュータを用いて構成してもよく、このコンピュータは、各種プログラムを実行するためのＣＰＵ（ｃｅｎｔｒａｌ  ｐｒｏｃｅｓｓｉｎｇ  ｕｎｉｔ）や、それらのプログラムを実行するためのワークエリアとして機能するＲＡＭ（ｒａｎｄｏｍ  ａｃｃｅｓｓ  ｍｅｍｏｒｙ）などを備えるものである。そして各構成要素の機能を実現するためのプログラムをコンピュータにおいて実行し、このコンピュータを各構成要素として動作させる。【０１９２】
また、プログラムは、記録媒体からコンピュータに供給されてもよく、あるいは、通信ネットワークを介してコンピュータに供給されてもよい。記録媒体は、コンピュータと分離可能に構成されてもよく、コンピュータに組み込むようになっていてもよい。この記録媒体は、記録したプログラムコードをコンピュータが直接読み取ることができるようにコンピュータに装着されるものであっても、外部記憶装置としてコンピュータに接続されたプログラム読取装置を介して読み取ることができるように装着されるものであってもよい。記録媒体としては、例えば、磁気テープやカセットテープなどのテープ：フレキシブルディスク／ハードディスク等の磁気ディスク、ＭＯ、ＭＤ等の光磁気ディスク、ＣＤ−ＲＯＭ、ＤＶＤ、ＣＤ―Ｒ等の光ディスクを含むディスク：ＩＣカード（メモリカードを含む）、光カード等のカード：あるいは、マスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等の半導体メモリなどを用いることができる。また、通信ネットワークを介してプログラムを供給する場合、プログラムは、そのプログラムコードが電子的な伝送で具現化された搬送波あるいはデータ信号の形態をとる。
【産業上の利用可能性】
【０１９３】
本発明による表示装置は、例えば、パソコンのモニター、液晶テレビ、液晶プロジェクタ、携帯電話の表示パネルなどに好適に用いることができる。
【図１】
2007032133.tif 000005
【図２】
2007032133.tif 000006
【図３】
2007032133.tif 000007
【図６】
2007032133.tif 000008
【図７】
2007032133.tif 000009
【図８】
2007032133.tif 000010
【図９】
2007032133.tif 000011
【図１１】
2007032133.tif 000012
【図１２】
2007032133.tif 000013
【図１３】
2007032133.tif 000014
【図１９】
2007032133.tif 000015
【図２０】
2007032133.tif 000016
【図４】
2007032133.tif 000017
【図５】
2007032133.tif 000018
【図１０】
2007032133.tif 000019
【図１４】
2007032133.tif 000020
【図１５】
2007032133.tif 000021
【図１６】
2007032133.tif 000022
【図１７】
2007032133.tif 000023
【図１８】
2007032133.tif 000024
【図２１】
2007032133.tif 000025
【図２２】
2007032133.tif 000026
【図２３】
2007032133.tif 000027
【図２４】
2007032133.tif 000028
【図２５】
2007032133.tif 000029
【図２６】
2007032133.tif 000030
【国際調査報告】
2007032133.tif 000031
2007032133.tif 000032